(57)【要約】通信装置が、非レガシーSTFと非レガシーCEFと複数の非レガシーヘッダフィールドと複数のデータフィールドとの合計以上の時間を名目上のデータフィールド長として定め、名目上のデータフィールド長に基づいて名目上のデータオクテットサイズを算出し、名目上のデータオクテットサイズをレガシーヘッダに格納し、レガシーヘッダのAdditional PPDUフィールドを０に設定するＰＰＤＵ生成部と、名目上のデータフィールド長以下においてA-PPDUを構成する信号処理部と、Ａ−ＰＰＤＵを送信する送信部と、を含む。
2018074119.tif 000002
【特許請求の範囲】
【請求項１】
レガシーＳＴＦと、レガシーＣＥＦと、レガシーヘッダフィールドと、非レガシーＳＴＦと非レガシーＣＥＦと、複数の非レガシーヘッダフィールドと、複数のデータフィールドとを含む集約物理層収束プロトコルデータユニット（Ａ−ＰＰＤＵ）に対して、名目上のデータフィールド長に基づいて算出された名目上のデータオクテットサイズを前記レガシーヘッダフィールドに設定し、前記レガシーヘッダフィールドに含まれるAdditional ＰＰＤＵフィールドを０に設定するＰＰＤＵ生成部と、
前記名目上のデータフィールド長以下において前記Ａ−ＰＰＤＵを構成する信号処理部と、
前記構成したＡ−ＰＰＤＵを送信する送信部と、
を含み、
前記名目上のデータフィールド長は、前記非レガシーＳＴＦと前記非レガシーＣＥＦと前記複数の非レガシーヘッダフィールドと前記複数のデータフィールドとの合計以上の時間である、
通信装置。
【請求項２】
レガシーＳＴＦと、レガシーＣＥＦと、レガシーヘッダフィールドと、非レガシーＳＴＦと非レガシーＣＥＦと、複数の非レガシーヘッダフィールドと、複数のデータフィールドとを含む集約物理層収束プロトコルデータユニット（Ａ−ＰＰＤＵ）に対して、名目上のデータフィールド長に基づいて算出された名目上のデータオクテットサイズが前記レガシーヘッダフィールドに設定され、前記レガシーヘッダフィールドに含まれるAdditional ＰＰＤＵフィールドが０に設定され、前記名目上のデータフィールド長以下において構成された前記Ａ−ＰＰＤＵを受信する受信部と、
前記受信したＡ−ＰＰＤＵに対して、Ａｃｋフレームを送信する送信部と、
を含み、
前記名目上のデータフィールド長は、前記非レガシーＳＴＦと前記非レガシーＣＥＦと前記複数の非レガシーヘッダフィールドと前記複数のデータフィールドとの合計以上の時間である、
通信装置。
【請求項３】
レガシーＳＴＦと、レガシーＣＥＦと、レガシーヘッダフィールドと、非レガシーＳＴＦと非レガシーＣＥＦと、複数の非レガシーヘッダフィールドと、複数のデータフィールドとを含む集約物理層収束プロトコルデータユニット（Ａ−ＰＰＤＵ）に対して、名目上のデータフィールド長に基づいて算出された名目上のデータオクテットサイズを前記レガシーヘッダフィールドに設定し、
前記レガシーヘッダフィールドに含まれるAdditional ＰＰＤＵフィールドを０に設定し、
前記名目上のデータフィールド長以下において前記Ａ−ＰＰＤＵを構成し、
前記構成したＡ−ＰＰＤＵを送信する、
通信方法であって、
前記名目上のデータフィールド長は、前記非レガシーＳＴＦと前記非レガシーＣＥＦと前記複数の非レガシーヘッダフィールドと前記複数のデータフィールドとの合計以上の時間である、
通信方法。
【請求項４】
レガシーＳＴＦと、レガシーＣＥＦと、レガシーヘッダフィールドと、非レガシーＳＴＦと非レガシーＣＥＦと、複数の非レガシーヘッダフィールドと、複数のデータフィールドとを含む集約物理層収束プロトコルデータユニット（Ａ−ＰＰＤＵ）に対して、名目上のデータフィールド長に基づいて算出された名目上のデータオクテットサイズが前記レガシーヘッダフィールドに設定され、
前記レガシーヘッダフィールドに含まれるAdditional ＰＰＤＵフィールドが０に設定され、前記名目上のデータフィールド長以下において構成された前記Ａ−ＰＰＤＵを受信し、
前記受信したＡ−ＰＰＤＵに対して、Ａｃｋフレームを送信する、
通信方法であって、
前記名目上のデータフィールド長は、前記非レガシーＳＴＦと前記非レガシーＣＥＦと前記複数の非レガシーヘッダフィールドと前記複数のデータフィールドとの合計以上の時間である、
通信方法。
【発明の詳細な説明】
【技術分野】
【０００１】
本開示は、無線通信に関連し、さらに具体的には、無線通信システムにおける集約ＰＰＤＵ（ＰＬＣＰ  Ｐｒｏｔｏｃｏｌ  Ｄａｔａ  Ｕｎｉｔ（物理層収束プロトコルデータユニット））を構成し、通信する装置および方法に関する。
【背景技術】
【０００２】
免許不要の６０ＧＨｚ帯を使用するミリ波ネットワークへの関心が深まっている。ワイヤレスＨＤ（Ｈｉ−Ｄｅｆｉｎｉｔｉｏｎ）技術は、業界初の６０ＧＨｚ帯を使用する無線通信規格であり、コンシューマ電子機器、パーソナルコンピュータ、および携帯機器の間での高精細度のオーディオ、ビデオ、およびデータの数ギガビット毎秒の無線ストリーミング伝送を可能にする。【０００３】
６０ＧＨｚ帯で処理する別の無線通信技術にＷｉＧｉｇ技術があり、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ（米国電気電子技術者協会））によってＩＥＥＥ８０２．１１ａｄ規格として標準化されている。【０００４】
ＷｉＧｉｇ技術は、２．１６ＧＨｚの標準帯域幅を使用することで、最大６．７Ｇｂｐｓまでの物理層データ伝送速度を提供することができる。ＷｉＧｉｇ技術は、ＳＣ（Ｓｉｎｇｌｅ  Ｃａｒｒｉｅｒ（シングルキャリア））変調およびＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（直交周波数分割多重））変調の両方をサポートする。【０００５】
また、伝送効率を向上するために、ＷｉＧｉｇ技術は、Ａｇｇｒｅｇａｔｅ−ＰＰＤＵ（集約物理層収束プロトコルデータユニット、以下「Ａ−ＰＰＤＵ」と表記する）をサポートする（非特許文献１参照）。Ａ−ＰＰＤＵとは、２つ以上のＰＰＤＵ間にＩＦＳ（Ｉｎｔｅｒ−ｆｒａｍｅ  Ｓｐａｃｉｎｇ（フレーム間隔時間））やプリアンブルを設けずに伝送する技術である。なお、WiGig技術ではA-PPDUが用いられる場合、A-PPDUを構成する各PPDUには、A-MPDU（Aggregate-MPDU（MAC Protocol Data Unit））が用いられている。【０００６】
ここで、ＩＥＥＥ８０２．１１ａｙタスクグループは、既存の（すなわちレガシー）ＷｉＧｉｇ技術との下位互換性を維持し、次世代の（ＥＤＭＧ（Ｅｎｈａｎｃｅｄ  Ｄｉｒａｃｔｉｏｎａｌ  Ｍｕｌｔｉ-Ｇｉｇａｂｉｔ））ＷｉＧｉｇ技術としてＭＩＭＯ技術とチャネルボンディング技術を組み合わせることで数十Ｇｂｐｓに上る物理層データ伝送速度の実現を目指している（非特許文献２参照）。
【先行技術文献】
【非特許文献】
【０００７】
【非特許文献１】ＩＥＥＥ  ８０２．１１ａｄ−２０１２  Ｐ２３７  ９．１３ａ  ＤＭＧ  Ａ−ＰＰＤＵ  ｏｐｅｒａｔｉｏｎ
【非特許文献２】11-１５−１３５８−０５−００ａｙ  Ｓｐｅｃ  Ｆｒａｍｅｗｏｒｋ
【発明の概要】
【０００８】
IEEE802.11ayにおいて伝送効率を向上するためには、２つ以上のＥＤＭＧ  ＰＰＤＵ間にＩＦＳやプリアンブルを設けずに伝送する技術（以下、「ＥＤＭＧ  Ａ−ＰＰＤＵ」と表記する）をサポートする必要があるが、ＥＤＭＧ  Ａ−ＰＰＤＵを使った通信において、どのようにしてレガシーＷｉＧｉｇデバイスとの下位互換性を維持可能なアクセス制御方法を定義するかは考慮されていない。
【０００９】
本開示の非限定的な実施例は、レガシーＳＴＦと、レガシーＣＥＦと、レガシーヘッダフィールドと、非レガシーＳＴＦと非レガシーＣＥＦと、複数の非レガシーヘッダフィールドと、複数のデータフィールドとを含む集約物理層収束プロトコルデータユニット（Ａ−ＰＰＤＵ）に対して、名目上のデータフィールド長に基づいて算出された名目上のデータオクテットサイズを前記レガシーヘッダフィールドに設定し、前記レガシーヘッダフィールドに含まれるAdditional ＰＰＤＵフィールドを０に設定するＰＰＤＵ生成部と、前記名目上のデータフィールド長以下において前記Ａ−ＰＰＤＵを構成する信号処理部と、前記構成したＡ−ＰＰＤＵを送信する送信部と、を含み、前記名目上のデータフィールド長は、前記非レガシーＳＴＦと前記非レガシーＣＥＦと前記複数の非レガシーヘッダフィールドと前記複数のデータフィールドとの合計以上の時間である、通信装置の提供に資する。
【００１０】
なお、一般的な、または特定の諸実施形態は、システム、方法、集積回路、コンピュータプログラム、ストレージ媒体、またはこれらの任意の選択的な組み合わせとして実装することが可能である。
【発明の効果】
【００１１】
本開示のアクセス制御方法を用いた場合、レガシーＷｉＧｉｇ技術と下位互換性を維持可能なＥＤＭＧ  Ａ−ＰＰＤＵを提供できる。【００１２】
本開示の実施形態の更なる利点および効果は、本明細書および図面から明らかになろう。これらの利点および／または効果は、本明細書および図面の様々な実施形態および特徴によって個々に把握することができ、かかる利点および／または効果の一つ以上を把握するために、これらの全てを提示する必要はない。
【図面の簡単な説明】
【００１３】
【図１】本開示が前提とするEDMG PPDUを用いた通信における送信元EDMG無線局装置と宛先EDMG無線局装置の正常受信時の処理の一例を示す図
【図２】本開示が前提とするEDMG PPDUを用いた通信における送信元EDMG無線局装置と宛先EDMG無線局装置のFCSエラー発生時の処理の一例を示す図
【図３】本開示が前提とするEDMG PPDUを用いた通信における送信元EDMG無線局装置と宛先EDMG無線局装置のEDMG-Header-AにHCSエラー発生時の処理の一例を示す図
【図４】本開示が前提とするEDMG PPDUを用いた通信における送信元EDMG無線局装置と非宛先EDMG無線局装置の正常受信時の処理の一例を示す図
【図５】本開示が前提とするEDMG PPDUを用いた通信における送信元EDMG無線局装置と非宛先EDMG無線局装置のFCSエラー発生時の処理の一例を示す図
【図６】本開示が前提とするEDMG PPDUを用いた通信における送信元EDMG無線局装置と非宛先EDMG無線局装置のEDMG-Header-AにHCSエラー発生時の処理の一例を示す図
【図７】本開示が前提とするEDMG PPDUを用いた通信における送信元EDMG無線局装置とLegacy無線局装置の処理の一例を示す図
【図８】実施の形態１による送信元EDMG無線局装置と宛先EDMG無線局装置の正常受信時の処理の一例を示す図
【図９】実施の形態１によるEDMG PPDUを用いた通信における送信元EDMG無線局装置と宛先EDMG無線局装置の全データフィールドにFCSエラー発生時の処理の一例を示す図
【図１０】実施の形態１によるEDMG PPDUを用いた通信における送信元EDMG無線局装置と宛先EDMG無線局装置のEDMG-Header-AにHCSエラー発生時の処理の一例を示す図
【図１１】実施の形態１によるEDMG PPDUを用いた通信における送信元EDMG無線局装置と非宛先EDMG無線局装置の正常受信時の処理の一例を示す図
【図１２】実施の形態１によるEDMG PPDUを用いた通信における送信元EDMG無線局装置と非宛先EDMG無線局装置の全データフィールドにFCSエラー発生時の処理の一例を示す図
【図１３】実施の形態１によるEDMG PPDUを用いた通信における送信元EDMG無線局装置と非宛先EDMG無線局装置のEDMG-Header-AにHCSエラー発生時の処理の一例を示す図
【図１４】実施の形態１による送信元EDMG無線局装置とEDMG A-PPDU非対応EDMG無線局装置の正常受信時の処理の一例を示す図
【図１５】実施の形態１によるEDMG PPDUを用いた通信における送信元EDMG無線局装置とEDMG A-PPDU非対応EDMG無線局装置のFCSエラー発生時の処理の一例を示す図
【図１６】実施の形態１によるEDMG PPDUを用いた通信における送信元EDMG無線局装置とEDMG A-PPDU非対応EDMG無線局装置のEDMG-Header-AにHCSエラー発生時の処理の一例を示す図
【図１７】実施の形態１によるEDMG PPDUを用いた通信における送信元EDMG無線局装置とLegacy無線局装置の処理の一例を示す図
【図１８】実施の形態２による送信元EDMG無線局装置と宛先EDMG無線局装置の正常受信時の処理の一例を示す図
【図１９】実施の形態２によるEDMG PPDUを用いた通信における送信元EDMG無線局装置と宛先EDMG無線局装置の全データフィールドにFCSエラー発生時の処理の一例を示す図
【図２０】実施の形態２によるEDMG PPDUを用いた通信における送信元EDMG無線局装置と宛先EDMG無線局装置のEDMG-Header-AにHCSエラー発生時の処理の一例を示す図
【図２１】実施の形態２によるEDMG PPDUを用いた通信における送信元EDMG無線局装置と非宛先EDMG無線局装置の正常受信時の処理の一例を示す図
【図２２】実施の形態２によるによるEDMG PPDUを用いた通信における送信元EDMG無線局装置と非宛先EDMG無線局装置の全データフィールドにFCSエラー発生時の処理の一例を示す図
【図２３】実施の形態２によるEDMG PPDUを用いた通信における送信元EDMG無線局装置と非宛先EDMG無線局装置のEDMG-Header-AにHCSエラー発生時の処理の一例を示す図
【図２４】実施の形態２による送信元EDMG無線局装置とEDMG A-PPDU非対応EDMG無線局装置の正常受信時の処理の一例を示す図
【図２５】実施の形態２によるEDMG PPDUを用いた通信における送信元EDMG無線局装置とEDMG A-PPDU非対応EDMG無線局装置のFCSエラー発生時の処理の一例を示す図
【図２６】実施の形態２によるEDMG PPDUを用いた通信における送信元EDMG無線局装置とEDMG A-PPDU非対応EDMG無線局装置のEDMG-Header-AにHCSエラー発生時の処理の一例を示す図
【図２７】実施の形態２によるEDMG PPDUを用いた通信における送信元EDMG無線局装置とLegacy無線局装置の処理の一例を示す図
【図２８】実施の形態３による送信元EDMG無線局装置と宛先EDMG無線局装置の正常受信時の処理の一例を示す図
【図２９】実施の形態３によるEDMG PPDUを用いた通信における送信元EDMG無線局装置と宛先EDMG無線局装置の全データフィールドにFCSエラー発生時の処理の一例を示す図
【図３０】実施の形態３によるEDMG PPDUを用いた通信における送信元EDMG無線局装置と宛先EDMG無線局装置のEDMG-Header-AにHCSエラー発生時の処理の一例を示す図
【図３１】実施の形態３によるEDMG PPDUを用いた通信における送信元EDMG無線局装置と非宛先EDMG無線局装置の正常受信時の処理の一例を示す図
【図３２】実施の形態３によるEDMG PPDUを用いた通信における送信元EDMG無線局装置と非宛先EDMG無線局装置の全データフィールドにFCSエラー発生時の処理の一例を示す図
【図３３】実施の形態３によるEDMG PPDUを用いた通信における送信元EDMG無線局装置と非宛先EDMG無線局装置のEDMG-Header-AにHCSエラー発生時の処理の一例を示す図
【図３４】実施の形態３による送信元EDMG無線局装置とEDMG A-PPDU非対応EDMG無線局装置の正常受信時の処理の一例を示す図
【図３５】実施の形態３によるEDMG PPDUを用いた通信における送信元EDMG無線局装置とEDMG A-PPDU非対応EDMG無線局装置のFCSエラー発生時の処理の一例を示す図
【図３６】実施の形態３によるEDMG PPDUを用いた通信における送信元EDMG無線局装置とEDMG A-PPDU非対応EDMG無線局装置のEDMG-Header-AにHCSエラー発生時の処理の一例を示す図
【図３７】実施の形態３によるEDMG PPDUを用いた通信における送信元EDMG無線局装置とLegacy無線局装置の処理の一例を示す図
【図３８】実施の形態４による送信元EDMG無線局装置と宛先EDMG無線局装置の正常受信時の処理の一例を示す図
【図３９】実施の形態４によるEDMG PPDUを用いた通信における送信元EDMG無線局装置と宛先EDMG無線局装置の全データフィールドにFCSエラー発生時の処理の一例を示す図
【図４０】実施の形態４によるEDMG PPDUを用いた通信における送信元EDMG無線局装置と宛先EDMG無線局装置のEDMG-Header-AにHCSエラー発生時の処理の一例を示す図
【図４１】実施の形態４によるEDMG PPDUを用いた通信における送信元EDMG無線局装置と非宛先EDMG無線局装置の正常受信時の処理の一例を示す図
【図４２】実施の形態４によるEDMG PPDUを用いた通信における送信元EDMG無線局装置と非宛先EDMG無線局装置の全データフィールドにFCSエラー発生時の処理の一例を示す図
【図４３】実施の形態４によるEDMG PPDUを用いた通信における送信元EDMG無線局装置と非宛先EDMG無線局装置のEDMG-Header-AにHCSエラー発生時の処理の一例を示す図
【図４４】実施の形態４による送信元EDMG無線局装置とEDMG A-PPDU非対応EDMG無線局装置の正常受信時の処理の一例を示す図
【図４５】実施の形態４によるEDMG PPDUを用いた通信における送信元EDMG無線局装置とEDMG A-PPDU非対応EDMG無線局装置のFCSエラー発生時の処理の一例を示す図
【図４６】実施の形態４によるEDMG PPDUを用いた通信における送信元EDMG無線局装置とEDMG A-PPDU非対応EDMG無線局装置のEDMG-Header-AにHCSエラー発生時の処理の一例を示す図
【図４７】実施の形態４によるEDMG PPDUを用いた通信における送信元EDMG無線局装置とLegacy無線局装置の処理の一例を示す図
【図４８】実施の形態５による送信元EDMG無線局装置と宛先EDMG無線局装置の正常受信時の処理の一例を示す図
【図４９】実施の形態５によるEDMG PPDUを用いた通信における送信元EDMG無線局装置と宛先EDMG無線局装置の全データフィールドにFCSエラー発生時の処理の一例を示す図
【図５０】実施の形態５によるEDMG PPDUを用いた通信における送信元EDMG無線局装置と宛先EDMG無線局装置のEDMG-Header-AにHCSエラー発生時の処理の一例を示す図
【図５１】実施の形態５によるEDMG PPDUを用いた通信における送信元EDMG無線局装置と非宛先EDMG無線局装置の正常受信時の処理の一例を示す図
【図５２】実施の形態５によるEDMG PPDUを用いた通信における送信元EDMG無線局装置と非宛先EDMG無線局装置の全データフィールドにFCSエラー発生時の処理の一例を示す図
【図５３】実施の形態５によるEDMG PPDUを用いた通信における送信元EDMG無線局装置と非宛先EDMG無線局装置のEDMG-Header-AにHCSエラー発生時の処理の一例を示す図
【図５４】実施の形態５による送信元EDMG無線局装置とEDMG A-PPDU非対応EDMG無線局装置の正常受信時の処理の一例を示す図
【図５５】実施の形態５によるEDMG PPDUを用いた通信における送信元EDMG無線局装置とEDMG A-PPDU非対応EDMG無線局装置のFCSエラー発生時の処理の一例を示す図
【図５６】実施の形態５によるEDMG PPDUを用いた通信における送信元EDMG無線局装置とEDMG A-PPDU非対応EDMG無線局装置のEDMG-Header-AにHCSエラー発生時の処理の一例を示す図
【図５７】実施の形態５によるEDMG PPDUを用いた通信における送信元EDMG無線局装置とLegacy無線局装置の処理の一例を示す図
【図５８】実施の形態６による送信元EDMG無線局装置と宛先EDMG無線局装置の正常受信時の処理の一例を示す図
【図５９】実施の形態６によるEDMG PPDUを用いた通信における送信元EDMG無線局装置と宛先EDMG無線局装置の全データフィールドにFCSエラー発生時の処理の一例を示す図
【図６０】実施の形態６によるEDMG PPDUを用いた通信における送信元EDMG無線局装置と宛先EDMG無線局装置のEDMG-Header-AにHCSエラー発生時の処理の一例を示す図
【図６１】実施の形態６によるEDMG PPDUを用いた通信における送信元EDMG無線局装置と非宛先EDMG無線局装置の正常受信時の処理の一例を示す図
【図６２】実施の形態６によるEDMG PPDUを用いた通信における送信元EDMG無線局装置と非宛先EDMG無線局装置の全データフィールドにFCSエラー発生時の処理の一例を示す図
【図６３】実施の形態６によるEDMG PPDUを用いた通信における送信元EDMG無線局装置と非宛先EDMG無線局装置のEDMG-Header-AにHCSエラー発生時の処理の一例を示す図
【図６４】実施の形態６による送信元EDMG無線局装置とEDMG A-PPDU非対応EDMG無線局装置の正常受信時の処理の一例を示す図
【図６５】実施の形態６によるEDMG PPDUを用いた通信における送信元EDMG無線局装置とEDMG A-PPDU非対応EDMG無線局装置のFCSエラー発生時の処理の一例を示す図
【図６６】実施の形態６によるEDMG PPDUを用いた通信における送信元EDMG無線局装置とEDMG A-PPDU非対応EDMG無線局装置のEDMG-Header-AにHCSエラー発生時の処理の一例を示す図
【図６７】実施の形態６によるEDMG PPDUを用いた通信における送信元EDMG無線局装置とLegacy無線局装置の処理の一例を示す図
【図６８】本開示によるEDMG無線局装置の構成の一例を示す図
【図６９】本開示によるEDMG無線局装置のＥＤＭＧ  ＰＰＤＵ生成部の構成の一例を示す図
【発明を実施するための形態】
【００１４】
以下に、添付の図面を参照しながら、本開示の様々な実施形態を詳しく説明する。以下の説明において、明瞭さと簡潔さのため、本明細書に組み込まれた周知の機能および構成の詳細な説明は省略されている。
【００１５】
図１は、本開示が前提とするEDMG PPDUを使った通信における送信元EDMG無線局装置９０００と宛先EDMG無線局装置９１００の処理の一例を示す図である。図１において送信元EDMG無線局装置９０００は、EDMG PPDU９０９９を宛先EDMG無線局装置９１００に送信する。
【００１６】
EDMG PPDU９０９９は、L-STF９００１とL-CEF９００２とL-Header９００３とEDMG-Header-A９００４とEDMG-STF９００５とEDMG-CEF９００６とDATA９００７を含む。なお、EDMG-STF９００５およびEDMG-CEF９００６は、EDMG PPDU９０９９がＭＩＭＯ技術やチャネルボンディング技術を用いて送信されるときに存在するフィールドである。
【００１７】
送信元EDMG無線局装置９０００は、EDMG PPDU９０９９の送信において下記の処理を行う。
【００１８】
送信元EDMG無線局装置９０００は、図示しないLegacy無線局装置がEDMG PPDUをサポートしていない、すなわちＬｅｇａｃｙ無線局装置がＥＤＭＧ−Ｈｅａｄｅｒ−Ａ９００４以降のフィールドをデータフィールドとして解釈することを考慮して、Legacy無線局装置にEDMG PPDU９０９９を一般的なLegacy PPDUとして処理させる。そのために送信元EDMG無線局装置９０００は、EDMG-Header-A９００４とEDMG STF９００５とEDMG-CEF９００６とDATA９００７を合わせたフィールドの無線チャネル上でのフィールド長L1時間を所定の計算方法に基づいてオクテットサイズD1に変換しL-Header９００３のLengthフィールドに設定する。これにより、Ｌｅｇａｃｙ無線局装置がEDMG-Header-A９００４とEDMG STF９００５とEDMG-CEF９００６とDATA９００７を合わせたフィールドを名目上のデータフィールドとして処理することができる。
【００１９】
送信元EDMG無線局装置９０００は、EDMG PPDU９０９９にEDMG-Header-A９００４が存在することを示すためにL-Header９００３にEDMG Indicationフィールド設けて１に設定する。
【００２０】
送信元EDMG無線局装置９０００は、EDMG-Header-A９００４にLengthフィールドを設けて、DATA９００７のオクテットサイズE1に設定する。
【００２１】
宛先EDMG無線局装置９１００は、受信したEDMG PPDU９０９９に対して下記の処理を行う。
【００２２】
先ず宛先EDMG無線局装置９１００は、L-STF９００１を使用して同期処理９１０１を行う。
【００２３】
次に宛先EDMG無線局装置９１００は、L-CEF９００２を使用してチャネル推定（CE）９１０２を行う。宛先EDMG無線局装置９１００は、このチャネル推定結果をL-Header９００３以降のフィールドの等化処理に使用することができる。
【００２４】
次に宛先EDMG無線局装置９１００は、L-Header９００３をデコード９１０３する。デコード９１０３においてHCS（Header Check Sequence）によりエラーが検出されない場合、宛先EDMG無線局装置９１００は、EDMG PPDU９０９９にEDMG-Header-A９００４が存在することが分かる。また、宛先EDMG無線局装置９１００は、Legacy無線局装置に対する名目上のデータフィールドのサイズがD１オクテットであることが分かるので、所定の計算方法によりD１を名目上のデータフィールド長L１に変換し、L１時間の間仮想CCA（Clear Channel Assessment）をビジーに設定する。ここで仮想CCAとは名目上のデータフィールド長に基づいて仮想的に無線チャネルの使用状況をビジーと判断する機能である。
【００２５】
次に宛先EDMG無線局装置９１００は、EDMG-Header-A９００４をデコード９１０４する。デコード９１０４においてHCSによりエラーが検出されない場合、宛先EDMG無線局装置９１００は、DATA９００７のサイズがE3オクテットであることが分かる。
【００２６】
次に宛先EDMG無線局装置９１００は、EDMG-STF９００５を使用して再同期処理９１０５を行う。
【００２７】
次に宛先EDMG無線局装置９１００は、ＭＩＭＯ  技術やチャネルボンディング技術を使って送信されるデータフィールドを等化するためにEDMG-CEF９００６を使用して再チャネル推定（再CE）９１０６を行う。
【００２８】
次に宛先EDMG無線局装置９１００は、EDMG-Header-A９００４のLengthフィールドの設定値（E1）に従ってData９００７をデコード９１０７する。
【００２９】
宛先ＥＤＭＧ無線局９１００は、デコード９１０７においてＤａｔａ９００７に含まれる１つ以上のＭＰＤＵにおいてＦＣＳによるエラーが検出されない場合、宛先EDMG無線局装置９１００は、SIFS待機した後、ブロックAck（BA）９１０８を送信元EDMG無線局装置９０００に送信する。
【００３０】
送信元EDMG無線局装置９０００は、BA９１０８を正常に受信すると次のパケットの送信権を得るためにDIFS時間待機した後、バックオフ制御９００８を開始する。
【００３１】
なお、宛先EDMG無線局装置９１００がデコード９１０７において全てのＭＰＤＵについてFCS（Frame Check Sequence）によりエラーを検出した場合（図２参照）、あるいはデコード９１０４においてHCSによりエラーを検出した場合（図３参照）、つまり、EDMG-Header-A９００４にエラーを検出した場合、宛先EDMG無線局装置９１００は、データフィールドのサイズが分からないのでDATA９００７を正常に受信することは困難であり、宛先EDMG無線局装置９１００は、BA９１０８を送信しないことがある。この場合、送信元EDMG無線局装置９０００は、EDMG PPDU９０９９を送信完了してからPIFS（Point IFS）以内にBA９１０８を受信しないので、EDMG PPDU９０９９が宛先EDMG無線局装置９１００に正常に届かなかったと判断しEDMG PPDU９０９９を再送９００９する。
【００３２】
なお、図示しないが送信元ＥＤＭＧ無線局９０００は、ＢＡ９１０８を受信しかつ再送が必要と判断した場合、ＢＡ９１０８の受信完了からＳＩＦＳ時間を待機した後、あるいはＤＩＦＳ時間を待機した後、バックオフ制御を行った後で再送する。
【００３３】
なお、バックオフ制御とは、無線チャネルが開放されると、無線チャネルが使用中に待ち状態に入っていた無線局が一斉に送信を開始するため、無線チャネル上でパケットが衝突する確立が非常に高くなることを緩和するために、各無線局において無線チャネルが解放されてから乱数（バックオフ）を発生させ、発生させた乱数に応じて送信を待機する制御である。
【００３４】
図４は、本開示が前提とするEDMG PPDUを使った通信における送信元EDMG無線局装置９０００と非宛先EDMG無線局装置９２００の処理の一例を示す図である。図４において送信元EDMG無線局装置９０００は、EDMG PPDU９０９９を図１の宛先EDMG無線局装置９１００に送信し、宛先EDMG無線局装置９１００からBA９１０８を正常に受信したものとし、非宛先EDMG無線局装置９２００は、EDMG PPDU９０９９の宛先局装置ではないがEDMG PPDU９０９９を受信できる環境にあるものとする。
【００３５】
非宛先EDMG無線局装置９２００は、受信したEDMG PPDU９０９９に対して図１の宛先EDMG無線局装置９１００と同様の処理を行うが、デコード９２０７よりも後の処理が宛先EDMG無線局装置９１００と異なる。具体的には非宛先EDMG無線局装置９２００は、デコード９２０７において１つ以上のＭＰＤＵについてFCSによりエラーを検出しない場合、EDMG PPDU９０９９が自局装置宛ではないことが分かるので、物理CCAあるいは仮想CCAがビジーからアイドルに変わってからNAV（Network Allocation Vector）９２０８を設定する。NAV９２０８が終了すると非宛先EDMG無線局装置９２００は、パケットの送信権を得るために、DIFS時間待機した後、バックオフ制御９２０９を開始する。ここで物理CCAとは受信信号電力の検出レベルに基づいて無線チャネルの使用状況を判断する機能であり、NAVの値は、DATA9007のMACヘッダのDuration/IDフィールドにより指定され、図４では、NAV＝SIFS＋BA９１０８の無線チャネル上での時間としている。
【００３６】
なお、非宛先EDMG無線局装置９２００がデコード９２０７において全てのＭＰＤＵにおいてFCSによりエラーを検出した場合（図５参照）、あるいはデコード９２０４においてHCSによりエラーを検出した場合（図６参照）、非宛先EDMG無線局装置９２００は、物理CCAあるいは仮想CCAがビジーからアイドルに変わってから、EIFS（Extended IFS）時間待機した後、バックオフ制御９２０９を開始する。ここでEISF＝SIFS＋BA９１０８の無線チャネル上での時間＋DIFSである。
【００３７】
図７は、本開示が前提とするEDMG PPDUを使った通信における送信元EDMG無線局装置９０００とLegacy無線局装置９４００の処理の一例を示す図である。図７において送信元EDMG無線局装置９０００は、EDMG PPDU９０９９を図１の宛先EDMG無線局装置９１００に送信し、宛先EDMG無線局装置９１００からBA９１０８を正常に受信したものとし、EDMG無線局装置９４００は、EDMG PPDU９０９９の宛先局装置ではないがEDMG PPDU９０９９を受信できる環境にあるものとする。
【００３８】
先述のとおりLegacy無線局装置９４００は、EDMG PPDUに対応していないので、EDMG PPDU９０９９を一般的なLegacy PPDUとして受信する。すなわちLegacy STA９４００は、同期処理９４０１、チャネル推定（CE）９４０２に続いてL-Header９００３をデコード９４０３する。デコード９４０３においてHCSによりエラーが検出されない場合、Legacy無線局装置９４００は、Lengthフィールドから名目上のデーフィールドのサイズD1を知ることができる。
【００３９】
そしてLegacy無線局装置９４００は、EDMG-Header-A９００４以降のフィールドをサイズがD1オクテットのデータフィールドとしてデコード９４０４する。Legacy無線局装置９４００は、本来のデータフィールドであるDATA９００７に加えてEDMG-Header-A９００４、EDMG-STF９００５、EDMG-CEF９００６もデコードするので全てのＭＰＤＵにおいてFCSによりエラーを検出する可能性が高い。
【００４０】
デコード９４０４においてエラーを検出した場合、Legacy無線局装置９４００は、物理CCAあるいは仮想CCAがビジーからアイドルに変わってから、EIFS時間待機した後、バックオフ制御９４０５を開始する。
【００４１】
（実施の形態１）
図８は、実施の形態１によるEDMG A-PPDUを使った通信における送信元EDMG無線局装置１０００が送信するフィールドと宛先EDMG無線局装置２０００における処理の一例を示す図である。送信元EDMG無線局装置１０００は、EDMG A-PPDU１４００を宛先EDMG無線局装置２０００に送信する。
【００４２】
EDMG A-PPDU１４００は、第１のEDMG PPDU１１００、第２のEDMG PPDU１２００、第３のEDMG PPDU１３００を含む。
【００４３】
第１のEDMG PPDU１１００は、L-STF１１０１とL-CEF１１０２とL-Header１１０３とEDMG-Header-A１１０４とEDMG-STF１１０５とEDMG-CEF１１０６とDATA１１０７を含む。第２のEDMG PPDU１２００は、EDMG-Header-A１２０１とDATA１２０２を含む。第３のEDMG PPDU１３００は、EDMG-Header-A１３０１とDATA１３０２を含む。
【００４４】
送信元EDMG無線局装置１０００は、EDMG A-PPDU１４００の送信において下記の処理を行う。
【００４５】
送信元EDMG無線局装置１０００は、図示しないLegacy無線局装置がEDMG PPDUおよびEDMG A-PPDUをサポートしていないことを考慮して、Legacy無線局装置にEDMG A-PPDU１４００を単一のLegacy PPDUとして処理させるために、L-Header１１０３のAdditional PPDUフィールドを０に設定する。
【００４６】
また、送信元EDMG無線局装置１０００は、EDMG-Header-A１１０４とEDMG-STF１１０５とEDMG-CEF１１０６とDATA１１０７とEDMG-Header-A１２０１とDATA１２０２とEDMG-Header-A１３０１とDATA１３０２を合わせたフィールドの無線チャネル上で、合計したフィールド長以上の任意の時間L2を名目上のデータフィールド長として定める。送信元EDMG無線局装置１０００は、名目上のデータフィールド長L2を、所定の計算方法に基づいて名目上のデータオクテットサイズD2に変換し、L-Header１１０３のLengthフィールドに設定する。
【００４７】
送信元EDMG無線局装置１０００は、名目上のデータフィールド長L2を超える時間にわたって、新たにEDMG PPDUを連結して送信しない。
【００４８】
これにより、送信元EDMG無線局装置１０００は、名目上のデータオクテットサイズD2をＬｅｇａｃｙ無線局装置に知らせることができる。
【００４９】
送信元EDMG無線局装置１０００は、DATA１１０７のオクテットサイズE2をEDMG-Header-A１１０４のLengthフィールドに設定し、DATA１２０２のオクテットサイズE3をEDMG-Header-A１２０１のLengthフィールドに設定し、DATA１３０２のオクテットサイズE4をEDMG-Header-A１３０１のLengthフィールドに設定する。
【００５０】
送信元EDMG無線局装置１０００は、EDMG A-PPDU１４００を構成する各EDMG PPDUにEDMG-Header-Aが存在することを示すためにL-Header１００３のEDMG Indicationフィールドを１に設定する。
【００５１】
送信元EDMG無線局装置１０００は、第１のEDMG PPDU１１００と第２のEDMG PPDU１２００と第３のEDMG PPDU１３００が連結されていることを示すために、EDMG-Header-A１１０４、１２０１とEMDG-Header-A１３０１にAdditional PPDUフィールドを設けて、EDMG-Header-A１１０４、１２０１のAdditional PPDUフィールドを１に設定し、EDMG-Header-A１３０１のAdditional PPDUフィールドを０に設定する。
【００５２】
宛先EDMG無線局装置２０００は、受信したEDMG A-PPDU１４００に対して下記の処理を行う。
【００５３】
先ず宛先EDMG無線局装置２０００は、L-STF１１０１を使用して同期処理２００１を行う。
【００５４】
次に宛先EDMG無線局装置２０００は、L-CEF１１０２を使用してチャネル推定（CE）２００２を行う。宛先EDMG無線局装置２０００は、チャネル推定結果をL-Header１１０３以降のフィールドの等化処理に使用することができる。
【００５５】
次に宛先EDMG無線局装置２０００は、L-Header１１０３のデコード処理２００３を実施する。デコード２００３においてHCSによりエラーが検出されない場合、宛先EDMG無線局装置２０００は、EDMG A-PPDU１４００にEDMG Header-A１１０４が存在すると判断し、Legacy無線局装置に対する名目上のデータフィールドサイズD2オクテットを取得する。このため、宛先EDMG無線局装置２０００は、所定の計算方法により、名目上のデータフィールドサイズD2を名目上のデータフィールド長L2に変換し、L2時間の間、仮想CCAをビジーに設定する。
【００５６】
次に宛先EDMG無線局装置２０００は、EDMG-Header-A１１０４をデコード２００４する。デコード２００４においてHCSによりエラーが検出されない場合、宛先EDMG無線局装置２０００は、第１のEDMG PPDU１１００の後に第２のEDMG PPDU１２００が続いて存在すると判断し、DATA１１０７のサイズE2オクテットを取得する。
【００５７】
次に宛先EDMG無線局装置２０００は、EDMG-STF１１０５を使用して再同期処理２００５を行う。
【００５８】
次に宛先EDMG無線局装置２０００は、EDMG-CEF１１０６を使用して再チャネル推定（再CE）処理２００６を行う。
【００５９】
次に宛先EDMG無線局装置２０００は、EDMG-Header-A１１０４のLengthフィールドの設定値（E２）に従ってDATA１１０７のデコード処理２００７を行う。
【００６０】
次に宛先EDMG無線局装置２０００は、デコード処理２００４の結果から第２のEDMG PPDU１２００の存在を認識するため、EDMG-Header-A１２０１のデコード処理２００８を実施する。デコード処理２００８においてHCSによりエラーが検出されない場合、宛先EDMG無線局装置２０００は、第２のEDMG PPDU１２００の後に第３のEDMG PPDU１３００が存在することを認識する。
【００６１】
次に宛先EDMG無線局装置２０００は、EDMG-Header-A１２０２のLengthフィールドの設定値（E３）に従ってDATA１２０２のデコード処理２００９を実施する。
【００６２】
次に宛先EDMG無線局装置２０００は、デコード処理２００８の結果から第３のEDMG PPDU１３００の存在を認識するので、EDMG-Header-A１３０１のデコード処理２０１０を実施する。デコード処理２０１０においてHCSによりエラーが検出されない場合、宛先EDMG無線局装置２０００は、第３のEDMG PPDU１３００の後には追加のEDMG PPDUが存在しないことを認識する。
【００６３】
次に宛先EDMG無線局装置２０００は、EDMG-Header-A１３０１のLengthフィールドの設定値（E４）に従ってDATA１３０２をデコード２０１１する。
【００６４】
次に宛先EDMG無線局装置２０００は、デコード処理２００７、２００９、２０１１において一つ以上のＭＰＤＵでＦＣＳエラーを検出しなかった場合、仮想CCAがビジーからアイドルに変わってからSIFS時間待機した後、ブロックAck（BA）２０１２を送信元EDMG無線局装置１０００に送信する。
【００６５】
送信元EDMG無線局装置１０００は、BA２０１２を正常に受信した後、次のパケットを送信するためにDIFS時間待機した後、バックオフ制御１５００を開始する。
【００６６】
なお、図示しないがBA２０１２が正常受信しなかったMPDUの存在を示していた場合、あるいはＢＡ２０１２のデコードでＨＣＳエラーまたはＦＣＳエラーが生じた場合、送信元EDMG無線局装置１０００は、BA２０１２の受信完了からSIFS時間待機した後、正常受信されなかったMPDUを再送する、あるいはＤＩＦＳ時間待機し、バックオフ制御1500を実施した後に、正常受信されなかったMPDUを再送する。
【００６７】
なお、宛先EDMG無線局装置２０００がデコード処理２００７、２００８、２０１１の全てのＭＰＤＵにおいて、FCSによりエラーを検出した場合（図９参照）、あるいはデコード処理２００４においてHCSによりエラーを検出した場合、宛先EDMG無線局装置２０００は、BA２０１２を送信しない。なお、先頭に配置された第１のEDMG PPDU１１００のEDMG-Header-A１１０４にエラーを検出した場合、宛先EDMG無線局装置２０００は、DATA１１０７、１２０２、１３０２を正常に受信しない（図１０参照）。
【００６８】
この場合、送信元EDMG無線局装置１０００は、名目上のデータフィールド長L2が終わってからPIFS時間以内にBA２０１２を受信しないので、EDMG A-PPDU１４００が宛先EDMG無線局装置２０００に正常に届かなかったと判断し、EDMG A-PPDU１４００を再送処理１６００する。
【００６９】
図１１は、実施の形態１によるEDMG A-PPDUを使った通信における送信元EDMG無線局装置１０００が送信するフィールドおよび実行する処理と非宛先EDMG無線局装置３０００が送信するフィールドおよび実行する処理の一例を示す図である。
【００７０】
図１１の送信元EDMG無線局装置１０００は、EDMG A-PPDU１４００を図８の宛先EDMG無線局装置２０００に送信し、宛先EDMG無線局装置２０００からのBA２０１２を正常に受信し、図１１の非宛先EDMG無線局装置３０００は、図１１のEDMG A-PPDU１４００の宛先局装置ではないがEDMG A-PPDU１４００を受信できる環境に存在する。
【００７１】
図１１の非宛先EDMG無線局装置３０００は、受信したEDMG A-PPDU１４００に対して図８の宛先EDMG無線局装置２０００と同様の処理を行うが、デコード処理３０１１よりも後の処理が図８の宛先EDMG無線局装置２０００と異なる。
【００７２】
具体的には非宛先EDMG無線局装置３０００は、デコード処理３００７、３００９、３０１１によって得られる一つ以上のＭＰＤＵにおいてFCSによりエラーを検出しない場合、EDMG A-PPDU１４００の宛先が非宛先EDMG無線局装置３０００ではないと判断し、仮想CCAがビジーからアイドルに変化した後、NAV3012を設定し、更に、NAV3012終了後、DIFS時間待機し、バックオフ制御3013を開始する。
【００７３】
なお、非宛先EDMG無線局装置３０００がデコード処理３００７、３００９、３０１１によって得られる全てのＭＰＤＵにおいてFCSによりエラーを検出した場合（図１２参照）、あるいはデコード処理３００４においてHCSによりエラーを検出した場合（図１３参照）、非宛先EDMG無線局装置３０００は、仮想CCAがビジーからアイドルに変化した後、EIFS時間待機し、バックオフ制御３０１３を開始する。
【００７４】
図１４は、実施の形態１によるEDMG A-PPDUを使った通信における送信元EDMG無線局装置１０００の送信するフィールドおよび実行する処理とEDMG A-PPDUに対応していないEDMG無線局装置４０００の実行する処理の一例を示す図である。図１４の送信元EDMG無線局装置１０００は、EDMG A-PPDU１４００を図８の宛先EDMG無線局装置２０００に送信し、BA２０１２を正常に受信し、図１４のEDMG A-PPDU非対応EDMG無線局装置４０００は、EDMG A-PPDU１４００の宛先局装置ではないがEDMG A-PPDU１４００を受信できる環境に存在する。
【００７５】
EDMG A-PPDU非対応EDMG無線局装置４０００は、EDMG A-PPDUに対応していないためDATA１１０７までデコード処理４００７を実行し、EDMG-Header-A１２０１以降のフィールドのデコード処理を実行しない。EDMG A-PPDU非対応EDMG無線局装置４０００は、デコード処理４００７によって得られた一つ以上のＭＰＤＵでFCSによりエラーを検出しなかった場合、EDMG A-PPDU１４００の宛先がEDMG A-PPDU非対応EDMG無線局装置４０００ではないこと判断し、仮想CCAがビジーからアイドルに変化した後、NAV４００８を設定し、更にNAV４００８の終了後、DIFS時間待機し、バックオフ制御４００９を開始する。
【００７６】
なお、EDMG A-PPDU非対応EDMG無線局装置４０００がデコード処理４００７によって得られた全てのＭＰＤＵについてFCSによりエラーを検出した場合（図１５参照）、あるいはデコード処理４００４においてHCSによりエラーを検出した場合（図１６参照）、EDMG A-PPDU非対応EDMG無線局装置４０００は、仮想CCAがビジーからアイドルに変化した後、EIFS時間待機し、バックオフ制御４００９を開始する。
【００７７】
図１７は、実施の形態１によるEDMG A-PPDUを使った通信における送信元EDMG無線局装置１０００の送信するフィールドおよび実行する処理とLegacy無線局装置５０００の実行する処理の一例を示す図である。
【００７８】
図１７の送信元EDMG無線局装置１０００は、EDMG A-PPDU１４００を図８の宛先EDMG無線局装置２０００に送信し、BA２０１２を正常に受信し、図１７のLegacy無線局装置５０００は、EDMG A-PPDU１４００の宛先局装置ではないがEDMG A-PPDU１４００を受信できる環境に存在する。
【００７９】
Legacy無線局装置５０００は、EDMG A-PPDUに対応していないので受信したEDMG A-PPDU１４００を一般的なLegacy PPDUとして処理する。すなわちLegacy無線局装置５０００は、同期処理５００１、チャネル推定（CE）処理５００２に続いてL-Header１１０３のデコード処理５００３を実行する。デコード処理５００３においてHCSによりエラーが検出されない場合、Legacy無線局装置５０００は、０に設定されるAdditional PPDUフィールドに基づいて、EDMG A-PPDU１４００を単一のLegacy PPDUとみなし、さらにLengthフィールドから名目上のデータフィールドのサイズD2を認識する。
【００８０】
そしてLegacy無線局装置５０００は、EDMG-Header-A１１０４以降のフィールドをサイズがD2オクテットのデータフィールドとしてデコード処理５００４を実行する。Legacy無線局装置５０００は、デコード処理５００４において全てのＭＰＤＵに対してFCSによりエラーを検出する。
【００８１】
デコード処理５００４において全てのＭＰＤＵに対してエラーを検出した場合、Legacy無線局装置５０００は、名目上のデータフィールドのオクテットサイズD2から無線チャネル上でのデータフィールド長L2時間を計算し、仮想CCAがビジーからアイドルに変化した後、EIFS時間待機し、バックオフ制御５００５を開始する。
【００８２】
以上より、実施の形態１によれば、EDMG無線局装置とLegacy無線局装置のバックオフ制御開始タイミングを揃えることができ、各無線局装置に送信機会を均等に与えることができる。
【００８３】
（実施の形態２）
図１８は、実施の形態２によるEDMG A-PPDUを使った通信における送信元EDMG無線局装置１０００及び宛先EDMG無線局装置２０００が送信するフィールドおよびの実行する処理の一例を示す図であり、実施の形態１の図８に対応する。図８と同一部分には同一符号を付し、これについての説明を省略する。
【００８４】
図８では宛先EDMG無線局装置２０００は、仮想CCAがビジーからアイドルに変化した後、SIFS時間待機し、BA２０１２を送信元EDMG無線局装置１０００に送信し、送信元EDMG無線局装置１０００は、BA２０１２の受信完了からSIFS時間待機し、バックオフ制御１５００を開始していたが、図１８では宛先EDMG無線局装置２０００は、物理CCAがビジーからアイドルに変化した後、SIFS時間待機し、BA２０１２を送信し、送信元EDMG無線局装置１０００は、BA２０１２を正常に受信した後、SIFS時間待機し、バックオフ制御１５００を開始する。つまり受信局装置であるEDMF無線局装置２０００のブロックAckの送信タイミングが実施の形態１と異なる。
【００８５】
なお、図示しないがBA２０１２が正常受信されなかったMPDUの存在を示す場合、あるいはＢＡ２０１２のデコード処理でＨＣＳエラーまたはＦＣＳエラーが生じた場合、送信元EDMG無線局装置１０００は、BA２０１２を受信し、SIFS時間待機した後、正常受信しなかったMPDUを含むパケットを再送する、あるいはDIFS時間待機し、バックオフ制御を実施した後、正常受信できなかったMPDUを含むパケットを再送する。
【００８６】
なお、宛先EDMG無線局装置２０００がデコード処理２００７、２００８、２０１１により得た全てのＭＰＤＵにおいてFCSによりエラーを検出した場合（図１９参照）、あるいはデコード処理２００４においてHCSによりエラーを検出した場合（図２０参照）、宛先EDMG無線局装置２０００は、BA２０１２を送信しない。この場合、送信元EDMG無線局装置１０００は、EDMG A-PPDU１４００送信完了からPIFS時間以内にBA２０１２を受信しないので、EDMG A-PPDU１４００が宛先EDMG無線局装置２０００に正常に届かなかったと判断し、EDMG A-PPDU１４００の再送処理１６００を実行する。
【００８７】
図２１は、実施の形態２によるEDMG A-PPDUを使った通信における送信元EDMG無線局装置１０００及び非宛先EDMG無線局装置３０００により送信されるフィールドおよび実行される処理の一例を示す図であり、実施の形態１の図１１に対応する。図１１と同一部分には同一符号を付し、これについての説明を省略する。
【００８８】
図１１では非宛先EDMG無線局装置３０００は、名目上のデータフィールド長L2の間、ビジーである仮想CCAがアイドルに変化した後、NAV3012を設定し、NAV3012の終了後、DIFS時間待機し、バックオフ制御3013を開始していたが、図２１では非宛先EDMG無線局装置３０００は、名目上のデータフィールド長L2の途中で、物理CCAがビジーからアイドルに変化した後、NAV３０１２を設定し、更にDIFS時間バックオフ制御３０１３を開始する。
【００８９】
なお、非宛先EDMG無線局装置３０００がデコード処理３００７、３００９、３０１１によって得られた全てのMPDUにおいてFCSによりエラーを検出した場合（図２２参照）、あるいはデコード３００４においてHCSによりエラーを検出した場合（図２３参照）、非宛先EDMG無線局装置３０００は、物理CCAがビジーからアイドルに変化した後、EIFS時間待機し、バックオフ制御３０１３を開始する。
【００９０】
図２４は、実施の形態２によるEDMG A-PPDUを使った通信における送信元EDMG無線局装置１０００及びEDMG A-PPDU非対応EDMG無線局装置４０００の送信するフィールドおよび実行する処理の一例を示す図であり、実施の形態１の図１４に対応する。図１４と同一部分には同一符号を付し、これについての説明を省略する。
【００９１】
図１４ではEDMG A-PPDU非対応EDMG無線局装置４０００は、名目上のデータフィールド長L2の間、ビジーである仮想CCAがアイドルに変化した後、NAV４００８を設定し、NAV４００８の終了後、DIFS時間待機し、バックオフ制御４００９を開始していたが、図２４ではEDMG A-PPDU非対応EDMG無線局装置４０００は、名目上のデータフィールド長L2の途中で、物理CCAがビジーからアイドルに変化した後、NAV４００８を設定し、NAV４００８の終了後、DIFS時間待機し、バックオフ制御４００９を開始する。
【００９２】
なお、EDMG A-PPDU非対応EDMG無線局装置４０００がデコード４００７によって得られた全てのMPDUについてFCSによりエラーを検出した場合（図２５参照）、あるいはデコード４００４においてHCSによりエラーを検出した場合（図２６参照）、EDMG A-PPDU非対応EDMG無線局装置４０００は、物理CCAがビジーからアイドルに変化した後、EIFS時間待機し、バックオフ制御４００９を開始する。
【００９３】
図２７は、実施の形態２によるEDMG A-PPDUを使った通信における送信元EDMG無線局装置１０００及びLegacy無線局装置５０００が送信するフィールド及び実行する処理の一例を示す図であり、実施の形態１の図１７に対応する。図１７と同一部分には同一符号を付し、これについての説明を省略する。
【００９４】
図２７では送信元EDMG無線局装置１０００は、ＢＡ2012を名目上のデータフィールド長L2の途中で受信するため、バックオフ制御１５００を開始するタイミングが図１７に比べて早くなっているが、Legacy無線局装置５０００がバックオフ制御５００５を開始するタイミングは図１７と同じである。その結果、図２７ではEDMG無線局装置のバックオフ制御開始タイミングがLegacy無線局装置のバックオフ制御開始タイミングよりも早くなるため、送信機会をＥＤＭＧ無線局装置に有利に与えられる。
【００９５】
以上より、実施の形態２によれば、送信元EDMG無線局装置１０００が実際のEDMG A-PPDU１４００のフレーム長に対してL2を長く設定した場合でも、宛先EDMG無線局装置２０００は、EDMG A-PPDU１４００の受信完了後に他の無線局装置に割り込まれることなくBA２０１２を送信することができる。
【００９６】
（実施の形態３）
図２８は、実施の形態３によるEDMG A-PPDUを使った通信における送信元EDMG無線局装置１０００及び宛先EDMG無線局装置２０００が送信するフィールド及び実行する処理の一例を示す図であり、実施の形態１の図８に対応する。図８と同一部分には同一符号を付し、これについての説明を省略する。
【００９７】
図８では送信元EDMG無線局装置１０００は、EDMG-Header-A１１０４とEDMG-STF１１０５とEDMG-CEF１１０６とDATA１１０７とEDMG-Header-A１２０１とDATA１２０２とEDMG-Header-A１３０１とDATA１３０２とを合計したフィールド長以上の任意の時間L2を、所定の計算方法に基づいてオクテットサイズD2に変換し、L-Header１１０３のLengthフィールドに設定していたが、図２８では送信元EDMG無線局１０００は、EDMG-Header-A１１０４とEDMG-STF１１０５とEDMG-CEF１１０６とDATA１１０７とEDMG-Header-A１２０１とDATA１２０２とEDMG-Header-A１３０１とDATA１３０２を合計したフィールド長とBA２０１２のフレーム長とSIFS時間の合計時間以上の任意の時間L３を名目上のデータフィールド長として定め、名目上のデータフィールド長L3を所定の計算方法に基づいて名目上のデータオクテットサイズD３に変換し、L-Header１１０３のLengthフィールドに設定する。そして送信元EDMG無線局装置１０００は、名目上のデータフィールド長L３からBA２０１２のフレーム長とSIFS時間を引いた時間を超えて、新たにEDMG PPDUを連結して送信しない。
【００９８】
また、図８では送信元EDMG無線局装置１０００は、BA２０１２を正常に受信した場合、SIFS時間待機し、バックオフ制御１５００を開始していたが、図２８では送信元EDMG無線局装置１０００は、仮想CCAがビジーからアイドルに変化した後、EIFS時間待機し、バックオフ制御１５００を開始する。
【００９９】
なお、図示しないがBA２０１２が正常受信できなかったMPDUの存在を示す場合、あるいはＢＡ２０１２のデコードでＨＣＳエラーまたはＦＣＳエラーが生じた場合、送信元EDMG無線局装置１０００は、名目上のデータフィールド長L3の終了からPIFS時間待機し、正常受信できなかったMPDUを含むパケットの再送処理１６００を実行する、あるいはDIFS時間待機し、バックオフ制御の終了後に、正常受信しなかったMPDUを含むパケットを再送する。
【０１００】
なお、宛先EDMG無線局装置２０００がデコード処理２００７、２００９、２０１１によって得られた全てのMPDUにおいてFCSによりエラーを検出した場合（図２９参照）、あるいはデコード２００４においてHCSによりエラーを検出した場合（図３０参照）、宛先EDMG無線局装置２０００は、BA２０１２を送信しない。この場合、送信元EDMG無線局装置１０００は、EDMG A-PPDU１４００の送信完了からPIFS時間以内にBA２０１２を受信しないので、EDMG A-PPDU１４００が宛先EDMG無線局装置２０００に正常に届かなかったと判断し、名目上のデータフィールド長L３の終了からPIFS時間待機し、EDMG A-PPDU１４００の再送処理１６００を実行する。
【０１０１】
図３１は、実施の形態３によるEDMG A-PPDUを使った通信における送信元EDMG無線局装置１０００及び非宛先EDMG無線局装置３０００が送信するフィールドおよび実行する処理の一例を示す図であり、実施の形態１の図１１に対応する。図１１と同一部分には同一符号を付し、これについての説明を省略する。
【０１０２】
図１１と同様に図３１でも非宛先EDMG無線局装置３０００は、仮想CCAがビジーからアイドルに変化した後、NAV3012を設定し、NAV3012の終了後、DIFS時間待機し、バックオフ制御3013を開始する。
【０１０３】
なお、非宛先EDMG無線局装置３０００がデコード処理３００７、３００９、３０１１によって得られた全てのMPDUにおいてFCSによりエラーを検出した場合（図３２参照）、あるいはデコード３００４においてHCSによりエラーを検出した場合（図３３参照）、非宛先EDMG無線局装置３０００は、仮想CCAがビジーからアイドルに変化した後、EIFS時間待機し、バックオフ制御３０１３を開始する。これらの処理は、実施の形態１の図１２および図１３の非宛先EDMG無線局装置３０００の処理と同じである。
【０１０４】
図３４は、実施の形態３によるEDMG A-PPDUを使った通信における送信元EDMG無線局装置１０００及びEDMG A-PPDU非対応EDMG無線局装置４０００が送信するフィールドおよび実行する処理の一例を示す図であり、実施の形態１の図１４に対応する。図１４と同一部分には同一符号を付し、これについての説明を省略する。
【０１０５】
図１４と同様に図３４でもEDMG A-PPDU非対応EDMG無線局装置４０００は、仮想CCAがビジーからアイドルに変化した後、NAV４００８を設定し、NAV４００８の終了後、DIFS時間待機し、バックオフ制御４００９を開始する。この処理は、実施の形態１の図１４のEDMG A-PPDU非対応EDMG無線局装置４０００の処理と同じである。
【０１０６】
なお、EDMG A-PPDU非対応EDMG無線局装置４０００がデコード処理４００７によって得られた全てのMPDUについてFCSによりエラーを検出した場合（図３５参照）、あるいはデコード処理４００４においてHCSによりエラーを検出した場合（図３６参照）、EDMG A-PPDU非対応EDMG無線局装置４０００は、仮想CCAがビジーからアイドルに変化した後、EIFS時間待機し、バックオフ制御４００９を開始する。これらの処理は、実施の形態１の図１５および図１６のEDMG A-PPDU非対応EDMG無線局装置４０００の処理と同じである。
【０１０７】
図３７は、実施の形態３によるEDMG A-PPDUを使った通信における送信元EDMG無線局装置１０００及びLegacy無線局装置５０００が送信するフィールドおよび実行する処理の一例を示す図であり、実施の形態１の図１７に対応する。図１７と同一部分には同一符号を付し、これについての説明を省略する。
【０１０８】
図１７と同様に図３７では送信元EDMG無線局装置１０００は、名目上のデータフィールド長L３が終了した後、EIFS時間待機し、バックオフ制御１５００を開始し、Legacy無線局装置５０００は仮想CCAがビジーからアイドルに変化した後、EIFS時間待機し、バックオフ制御５００５を開始するので、送信元EDMG無線局装置１０００とLegacy無線局装置５０００がバックオフ制御を開始するタイミングが揃う。
【０１０９】
以上より、実施の形態３によれば、送信元EDMG無線局装置１０００が実際のEDMG A-PPDU１４００のフレーム長に対してL３を長く設定した場合でも宛先EDMG無線局装置２０００は、EDMG A-PPDU１４００の受信完了後に、他の無線局装置による割り込みを抑制し、BA２０１２を送信することができる。また、EDMG無線局装置とLegacy無線局装置のバックオフ制御開始タイミングを揃えることができ、各無線局装置に送信機会を均等に与えることができる。
【０１１０】
なお、実施の形態３では、送信元EDMG無線局装置１０００は、EDMG-Header-A１１０４とEDMG-STF１１０５とEDMG-CEF１１０６とDATA１１０７とEDMG-Header-A１２０１とDATA１２０２とEDMG-Header-A１３０１とDATA１３０２とを合計したフィールド長とBA２０１２のフレーム長とSIFS時間の合計時間以上の任意の時間L３を名目上のデータフィールド長として定め、名目上のデータフィールド長L３からBA２０１２のフレーム長とSIFS時間を引いた時間を超えて新たにEDMG PPDUを連結して送信しないものとしたが、実施の形態１のように、送信元EDMG無線局装置１０００は、EDMG-Header-A１１０４とEDMG-STF１１０５とEDMG-CEF１１０６とDATA１１０７とEDMG-Header-A１２０１とDATA１２０２とEDMG-Header-A１３０１とDATA１３０２を合計したフィールド長以上の任意の時間を名目上のデータフィールド長L3とし、名目上のデータフィールド長L３を超えて新たにEDMG PPDUを連結して送信しないようにしてもよい。この場合、BA２０１２が名目上のデータフィールド長L3を越えて送信されることを除いては、各無線局装置の振る舞いは同じである。
【０１１１】
（実施の形態４）
図３８は、実施の形態４によるEDMG A-PPDUを使った通信における送信元EDMG無線局装置１０００及び宛先EDMG無線局装置２０００が送信するフィールドおよび実行する処理の一例を示す図であり、実施の形態１の図８に対応する。図８と同一部分には同一符号を付し、これについての説明を省略する。
【０１１２】
図８の送信元EDMG無線局装置１０００は、EDMG-Header-A１１０４とEDMG-STF１１０５とEDMG-CEF１１０６とDATA１１０７とEDMG-Header-A１２０１とDATA１２０２とEDMG-Header-A１３０１とDATA１３０２を合計したフィールド長以上の任意の時間L2を、所定の計算方法に基づいてオクテットサイズD2に変換し、L-Header１１０３のLengthフィールドに設定していたが、図３８では送信元EDMG無線局装置１０００は、EDMG A-PPDU１４００の送信前にあらかじめ分かっているデータサイズ、例えばバッファに蓄積されているデータサイズからLegacy無線局装置にとっての名目上のデータフィールド長L4を定め、L4を所定の計算方法に基づいて名目上のデータオクテットサイズD4に変換し、L-Header１１０３のLengthフィールドに設定する。図３８ではDATA１１０７、１２０２がバッファに蓄積される。
【０１１３】
また、図８では送信元EDMG無線局装置１０００は、名目上のデータフィールド長L2を超える時間では、新たにEDMG PPDUを連結して送信しなかったが、図３８では送信元EDMG無線局装置１０００は、送信開始時点で最後尾に配置された第２のEDMG PPDU１２００のEDMG-Header-A１２０１の送信前に追加したいDATA１３０２がバッファに入力された場合、第２のEDMG PPDU１２００の後に第３のEDMG PPDU１３００を連結することができる。
【０１１４】
図３８における宛先EDMG無線局装置２０００の動作は、実施の形態２の図１８に示す動作と同じである。
【０１１５】
なお、図示しないがBA２０１２が正常受信できなかったMPDUの存在を示す場合、あるいはＢＡ２０１２のデコードでＨＣＳエラーまたはＦＣＳエラーが生じた場合、送信元EDMG無線局装置１０００は、BA２０１２の受信完了後、SIFS時間待機し、正常受信できなかったMPDUを含むパケットを再送する。
【０１１６】
なお、宛先EDMG無線局装置２０００がデコード処理２００７、２００９、２０１１によって得られた全てのMPDUにおいてFCSによりエラーを検出した場合（図３９参照）、あるいはデコード２００４においてHCSによりエラーを検出した場合（図４０参照）、宛先EDMG無線局装置２０００は、BA２０１２を送信しない。この場合、送信元EDMG無線局装置１０００は、EDMG A-PPDU１４００の送信完了からPIFS時間以内にBA２０１２を受信しないので、EDMG A-PPDU１４００が宛先EDMG無線局装置２０００に正常に届かなかったと判断し、EDMG A-PPDU１４００の再送処理１６００を実行する。これらの処理は、実施の形態２の図１９および図２０の宛先EDMG無線局装置２０００の処理と同じである。
【０１１７】
図４１は、実施の形態４によるEDMG A-PPDUを使った通信における送信元EDMG無線局装置１０００及び非宛先EDMG無線局装置３０００が送信するフィールドおよび実行する処理の一例を示す図であり、実施の形態１の図１１に対応する。図１１と同一部分には同一符号を付し、これについての説明を省略する。
【０１１８】
図１１では非宛先EDMG無線局装置３０００は、名目上のデータフィールド長L2の間、ビジーである仮想CCAがアイドルに変化した後、NAV3012を設定し、NAV3012の終了後、DIFS時間待機し、バックオフ制御3013を開始していたが、図４１では非宛先EDMG無線局装置３０００は、名目上のデータフィールド長L４を超過して連結された第３のEDMG PPDU１３００の送信が終了し、物理CCAがビジーからアイドルに変化した後、NAV３０１２を設定し、NAV３０１２の終了後、DIFS時間待機し、バックオフ制御３０１３を開始する。この動作は、実施の形態２の図２１の非宛先EDMG無線局装置３０００の動作と同じである。
【０１１９】
なお、非宛先EDMG無線局装置３０００がデコード処理３００７、３００９、３０１１によって得られた全てのMPDUにおいてFCSによりエラーを検出した場合（図４２参照）、あるいはデコード３００４においてHCSによりエラーを検出した場合（図４３参照）、非宛先EDMG無線局装置３０００は、物理CCAがビジーからアイドルに変化した後、EIFS時間待機し、バックオフ制御３０１３を開始する。これらの処理は、実施の形態２の図２２および図２３の非宛先EDMG無線局装置３０００の処理と同じである。
【０１２０】
図４４は、実施の形態４によるEDMG A-PPDUを使った通信における送信元EDMG無線局装置１０００及びEDMG A-PPDU非対応EDMG無線局装置４０００が送信するフィールドおよび実行する処理の一例を示す図であり、実施の形態１の図１４に対応する。図１４と同一部分には同一符号を付し、これについての説明を省略する。
【０１２１】
図１４ではEDMG A-PPDU非対応EDMG無線局装置４０００は、名目上のデータフィールド長L2の間、ビジーである仮想CCAがアイドルに変化した後、NAV４００８を設定し、NAV４００８の終了後、DIFS時間待機し、バックオフ制御４００９を開始していたが、図４４ではEDMG A-PPDU非対応EDMG無線局装置４０００は、名目上のデータフィールド長L４を超過して連結された第３のEDMG PPDU１３００の送信が終了し、物理CCAがビジーからアイドルに変化した後、NAV４００８を設定し、NAV４００８の終了後、DIFS時間待機し、バックオフ制御４００９を開始する。この動作は、実施の形態２の図２４のEDMG A-PPDU非対応EDMG無線局装置４０００の動作と同じである。
【０１２２】
なお、EDMG A-PPDU非対応EDMG無線局装置４０００がデコード処理４００７によって得られた全てのMPDUについてFCSによりエラーを検出した場合（図４５参照）、あるいはデコード処理４００４においてHCSによりエラーを検出した場合（図４６参照）、EDMG A-PPDU非対応EDMG無線局装置４０００は、物理CCAがビジーからアイドルに変化した値、EIFS時間待機し、バックオフ制御４００９を開始する。これらの動作は、実施の形態２の図２５および図２６のEDMG A-PPDU非対応EDMG無線局装置４０００の動作と同じである。
【０１２３】
図４７は、実施の形態４によるEDMG A-PPDUを使った通信における送信元EDMG無線局装置１０００及びLegacy無線局装置５０００が送受信するフィールドおよび実行する処理の一例を示す図であり、実施の形態１の図１７に対応する。図１７と同一部分には同一符号を付し、これについての説明を省略する。
【０１２４】
図４７ではLegacy無線局装置５０００は、デコード処理５００３においてHCSによりエラーが検出されない場合、名目上のデータオクテットサイズがD4であると判断できるので、仮想CCAをビジーに設定し、EDMG-Header-A１１０４からDATA１２００までをデータフィールドとしてデコード処理５００４を実行する。そして図１７と同様にLegacy 無線局装置５０００は、デコード処理５００４においてFCSによりエラーを検出する。
【０１２５】
Legacy無線局装置５０００は、EDMG-Header-A１３０１とDATA１３０２に対してはデコード処理を行わず、仮想CCAをアイドルに設定する。このときLegacy無線局装置５０００は、物理CCAがビジーであるため、図示しない無線局装置が無線チャネルを使用していると判断し、送信待機する。
【０１２６】
Legacy無線局装置５０００は、物理CCAがビジーからアイドルに変化してからEIFS時間待機した後、バックオフ制御５００５を開始する。
【０１２７】
以上より、実施の形態４によれば、宛先EDMG無線局装置２０００は、EDMG A-PPDU１４００の受信完了後、他の無線局装置による割り込みを抑制し、BA２０１２を送信することができ、Legacy無線局装置５０００は、消費電力を低減することができる。
【０１２８】
（実施の形態５）
図４８は、実施の形態５によるEDMG A-PPDUを使った通信における送信元EDMG無線局装置１０００及び宛先EDMG無線局装置２０００が送受信するフィールドおよび実行する処理の一例を示す図であり、実施の形態４の図３８に対応する。図３８と同一部分には同一符号を付し、これについての説明を省略する。
【０１２９】
図３８では送信元EDMG無線局装置１０００は、EDMG A-PPDU１４００の送信前にあらかじめ分かっているデータサイズ、例えばバッファに蓄積されているデータサイズからLegacy無線局装置にとっての名目上のデータフィールド長L4を定め、名目上のデータフィールド長L4を所定の計算方法に基づいてオクテットサイズD4に変換し、L-Header１１０３のLengthフィールドに設定していたが、図４８では送信元EDMG無線局装置１０００は、L-Header１１０３のLengthフィールドを０に設定する。
【０１３０】
図４８における送信元EDMG無線局装置１０００のその他の処理および宛先EDMG無線局装置２０００の処理は、図３８のそれらと同じである。
【０１３１】
なお、図示しないが、BA２０１２が正常受信しなかったMPDUの存在を示す場合、あるいはＢＡ２０１２のデコードでＨＣＳエラーまたはＦＣＳエラーが生じた場合、送信元EDMG無線局装置１０００は、BA２０１２の受信完了からSIFS時間待機し、正常受信できなかったMPDUを含むパケットを再送１６００する、あるいはDIFS時間待機し、バックオフ制御を実施した後、正常受信できなかったMPDUを含むパケットを再送する。
【０１３２】
なお、宛先EDMG無線局装置２０００がデコード処理２００７、２００９、２０１１によって得られた全てにおいてFCSによりエラーを検出した場合（図４９参照）、あるいはデコード処理２００４においてHCSによりエラーを検出した場合（図５０参照）、宛先EDMG無線局装置２０００は、BA２０１２を送信しない。
【０１３３】
この場合、送信元EDMG無線局装置１０００は、EDMG A-PPDU１４００の送信完了からPIFS時間以内にBA２０１２を受信しないので、EDMG A-PPDU１４００が宛先EDMG無線局装置２０００に正常に届かなかったと判断し、EDMG A-PPDU１４００の再送処理１６００を実行する。これらの処理は、実施の形態４の図３９および図４０の宛先EDMG無線局装置２０００の処理と同じである。
【０１３４】
図５１は、実施の形態５によるEDMG A-PPDUを使った通信における送信元EDMG無線局装置１０００及び非宛先EDMG無線局装置３０００が送受信するフィールドおよび実行する処理の一例を示す図であり、実施の形態４の図４１に対応する。図４１と同一部分には同一符号を付し、これについての説明を省略する。
【０１３５】
図５１においても図４１と同様に非宛先EDMG無線局装置３０００は、物理CCAがビジーからアイドルに変化した後、NAV３０１２を設定し、NAV３０１２の終了後、DISF時間待機し、バックオフ制御３０１３を開始する。
【０１３６】
なお、非宛先EDMG無線局装置３０００がデコード処理３００７、３００９、３０１１によって得られた全てのMPDUにおいてFCSによりエラーを検出した場合（図５２参照）、あるいはデコード３００４においてHCSによりエラーを検出した場合（図５３参照）、非宛先EDMG無線局装置３０００は、物理CCAがビジーからアイドルに変化した後、EIFS時間待機し、バックオフ制御３０１３を開始する。これらの処理は、実施の形態４の図４２および図４３の非宛先EDMG無線局装置３０００の処理と同じである。
【０１３７】
図５４は、実施の形態５によるEDMG A-PPDUを使った通信における送信元EDMG無線局装置１０００及びEDMG A-PPDU非対応EDMG無線局装置４０００が送受信するフィールドおよび実行する処理の一例を示す図であり、実施の形態４の図４４に対応する。図４４と同一部分には同一符号を付し、これについての説明を省略する。
【０１３８】
図５４においても図４４と同様にEDMG A-PPDU非対応EDMG無線局装置４０００は、物理CCAがビジーからアイドルに変化した後、NAV４００８を設定し、NAV４００８の終了後、DIFS時間待機し、バックオフ制御４００９を開始する。
【０１３９】
なお、EDMG A-PPDU非対応EDMG無線局装置４０００がデコード４００７において全てのMPDUについてFCSによりエラーを検出した場合（図５５参照）、あるいはデコード４００４でHCSによりエラーを検出した場合（図５６参照）、EDMG A-PPDU非対応EDMG無線局装置４０００は、物理CCAがビジーからアイドルに変化した後、EIFS時間待機し、バックオフ制御４００９を開始する。これらの動作は、実施の形態４の図４５および図４６のEDMG A-PPDU非対応EDMG無線局装置４０００の動作と同じである。
【０１４０】
図５７は、実施の形態５によるEDMG A-PPDUを使った通信における送信元EDMG無線局装置１０００及びLegacy無線局装置５０００が送受信するフィールドおよび実行する処理の一例を示す図であり、実施の形態４の図４７に対応する。図４７と同一部分には同一符号を付し、これについての説明を省略する。
【０１４１】
図５７ではLegacy無線局装置５０００は、デコード処理５００３においてHCSによりエラーが検出しない場合、L-Header１１０３からLengthフィールドの値として、「０」を取得する。
【０１４２】
しかし、IEEE802.11adではL-HeaderのLengthフィールドを１から２６２１４３の範囲に設定することが規定されているので、Legacy無線局装置５０００は、規定外のLength設定と判断し、EDMG-Header-A以降のフィールドのデコード処理を止めることができる。
【０１４３】
Legacy無線局装置５０００は、図４７と同様に物理CCAがビジーからアイドルに変化した後、EIFS時間待機し、バックオフ制御５００５を開始する。
【０１４４】
以上より、実施の形態５によれば、宛先EDMG無線局装置２０００は、EDMG A-PPDU１４００の受信完了後に他の無線局装置による割り込みを抑制し、BA２０１２を送信することができ、Legacy無線局装置５０００は、消費電力をより一層低減することができる。
【０１４５】
（実施の形態６）
図５８は、実施の形態６によるEDMG A-PPDUを使った通信における送信元EDMG無線局装置１０００及び宛先EDMG無線局装置２０００が送受信するフィールドおよび実行する処理の一例を示す図である。
【０１４６】
実施の形態６ではEDMG A-PPDU１４００のフォーマットが実施の形態１から実施の形態５におけるEDMG A-PPDU１４００のフォーマットと異なる。
【０１４７】
具体的には第２のEDMG PPDU１２００は、L-Header１２０３を新たに含み、第３のEDMG PPDU１３００は、L-Header１３０３を新たに含む。
【０１４８】
送信元EDMG無線局装置１０００は、EDMG A-PPDU１４００の送信において下記の処理を行う。
【０１４９】
送信元EDMG無線局装置１０００は、Legacy無線局装置に名目上のデータオクテットサイズを知らせるために、EDMG-Header-A１１０４とEDMG-STF１１０５とEDMG-CEF１１０６とDATA１１０７とを合計したフィールド長L５を、所定の計算方法に基づいて名目上のデータオクテットサイズD5に変換し、L-Header１１０３のLengthフィールドに設定し、L-Header１２０３とEDMG-Header-A１２０１とDATA１２０２とを合計したフィールド長L6を、所定の計算方法に基づいて名目上のデータオクテットサイズD6に変換し、L-Header１２０３のLengthフィールドに設定し、L-Header１３０３とEDMG-Header-A１３０１とDATA１３０２とを合計したフィールドの無線チャネル上でのフィールド長L7を所定の計算方法に基づいてデータオクテットサイズに変換しL-Header１３０３のLengthフィールドに設定する。
【０１５０】
送信元EDMG無線局装置１０００は、DATA１１０７のオクテットサイズE2をEDMG-Header-A１１０４のLengthフィールドに設定し、DATA１２０２のオクテットサイズE3をEDMG-Header-A１２０１のLengthフィールドに設定し、DATA１３０２のオクテットサイズE4をEDMG-Header-A１３０１のLengthフィールドに設定する。
【０１５１】
送信元EDMG無線局装置１０００は、EDMG A-PPDU１４００を構成する各EDMG PPDUにEDMG-Header-Aが存在することを示すためにL-Header１００３とL-Header１２０３とL-Header１３０３とのEDMG Indicationフィールドを１に設定する。
【０１５２】
送信元EDMG無線局装置１０００は、第１のEDMG PPDU１１００と第２のEDMG PPDU１２００と第３のEDMG PPDU１３００とが連結されていることを示すために、L-Header１１０３とL-Header１２０３とのAdditional PPDUフィールドを１に設定し、L-Header１３０３のAdditional PPDUフィールドを０に設定する。
【０１５３】
実施の形態６では複数のEDMG PPDUが連結されていることを示すために、既存のL-HeaderのAdditional PPDUフィールドを使用するので、EDMG-Header-A１１０４とEDMG-Header-A１２０１とEDMG-Header-A１３０１とにはAdditional PPDUフィールドが存在しなくてもよい。
【０１５４】
宛先EDMG無線局装置２０００は、受信したEDMG A-PPDU１４００に対して下記の処理を行う。
【０１５５】
先ず宛先EDMG無線局装置２０００は、L-STF１１０１を使用して同期処理２００１を行う。
【０１５６】
次に宛先EDMG無線局装置２０００は、L-CEF１１０２を使用してチャネル推定（CE）処理２００２を行う。宛先EDMG無線局装置２０００は、チャネル推定結果をL-Header１１０３以降のフィールドの等化処理に使用することができる。
【０１５７】
次に宛先EDMG無線局装置２０００は、L-Header１１０３のデコード処理２００３を実行する。デコード処理２００３においてHCSでエラーが検出しない場合、宛先EDMG無線局装置２０００は、第1のEDMG PPDU１１００にEDMG-Header-A１１０４が存在することを認識し、第１のEDMG PPDU１１００の後に第２のEDMG PPDU１２００が存在することを認識する。
【０１５８】
次に宛先EDMG無線局装置２０００は、EDMG-Header-A１１０４のデコード処理２００４を実行する。デコード処理２００４においてHCSでエラーが検出しない場合、宛先EDMG無線局装置２０００は、DATA１１０７のサイズがE2オクテットであることを認識する。
【０１５９】
次に宛先EDMG無線局装置２０００は、EDMG-STF１１０５を使用して再同期処理２００５を実行する。
【０１６０】
次に宛先EDMG無線局装置２０００は、EDMG-CEF１１０６を使用して再チャネル推定（再CE）処理２００６を実行する。
【０１６１】
次に宛先EDMG無線局装置２０００は、EDMG-Header-A１１０４のLengthフィールドの設定値（E２）に従ってDATA１１０７のデコード処理２００７を実行する。
【０１６２】
次に宛先EDMG無線局装置２０００は、デコード２００３の結果から第２のEDMG PPDU１２００の存在を認識しているので、L-Header１２０３のデコード処理２０１３を実行する。デコード処理２０１３においてHCSによりエラーが検出しない場合、宛先EDMG無線局装置２０００は、第2のEDMG PPDU１２００にEDMG-Header-A１２０１が存在することを認識し、第２のEDMG PPDU１２００の後に第３のEDMG PPDU１３００が続いていることを認識する。
【０１６３】
次に宛先EDMG無線局装置２０００は、EDMG-Header-A１２０１のデコード処理２００８を実行する。デコード処理２００８においてHCSでエラーが検出しない場合、宛先EDMG無線局装置２０００は、DATA１２０２のサイズがE３オクテットであることを認識する。
【０１６４】
次に宛先EDMG無線局装置２０００は、EDMG-Header-A１２０１のLengthフィールドの設定値（E３）に従ってDATA１２０２のデコード処理２００９を実行する。
【０１６５】
次に宛先EDMG無線局装置２０００は、デコード処理２０１３の結果から第３のEDMG PPDU１３００の存在を認識しているので、L-Header１３０３のデコード処理２０１４を実行する。デコード処理２０１４においてHCSによりエラーが検出しない場合、宛先EDMG無線局装置２０００は、第３のEDMG PPDU１３００にEDMG-Header-A１３０１が存在することを認識し、第３のEDMG PPDU１３００の後には追加のEDMG PPDUが存在しないことを認識する。
【０１６６】
次に宛先EDMG無線局装置２０００は、EDMG-Header-A１３０１のデコード処理２０１０を実行する。デコード処理２０１０においてHCSでエラーが検出しない場合、宛先EDMG無線局装置２０００は、DATA１３０２のサイズがE４オクテットであることを認識する。
【０１６７】
次に宛先EDMG無線局装置２０００は、EDMG-Header-A１３０１のLengthフィールドの設定値（E４）に従ってDATA１３０２のデコード処理２０１１を実行する。
【０１６８】
次に宛先EDMG無線局装置２０００は、デコード処理１１０７、１２０２、１３０２によって得られる一つ以上のMPDUでFCSエラーを検出しなかった場合、物理CCAがビジーからアイドルに変化した後、あるいは最後尾に位置する第3のEDMG PPDU１３００に対する仮想CCAがビジーからアイドルに変化した後、SIFS時間待機し、BA２０１２を送信元EDMG無線局装置１０００に送信する。
【０１６９】
送信元EDMG無線局装置１０００は、BA２０１２を正常に受信した後、次のパケットを送信するためにDIFS時間待機し、バックオフ制御１５００を開始する、あるいはＤＩＦＳ時間待機し、バックオフ制御を実施した後に正常受信されなかったMPDUを再送する。
【０１７０】
なお、図示しないがBA２０１２が正常受信しなかったMPDUの存在を示す場合、あるいはＢＡ２０１２のデコードでＨＣＳエラーまたはＦＣＳエラーが生じた場合、送信元EDMG無線局装置１０００は、BA２０１２の受信完了からSIFS時間待機し、正常受信しなかったMPDUを含むパケットの再送処理１６００を実行する。
【０１７１】
なお、宛先EDMG無線局装置２０００がデコード処理２００７、２００９、２０１１によって得られる全てのＭＰＤＵにおいてFCSによりエラーを検出した場合（図５９参照）、あるいはデコード処理２００４においてHCSによりエラーを検出した場合（図６０参照）、宛先EDMG無線局装置２０００は、BA２０１２を送信しない。この場合、送信元EDMG無線局装置１０００は、EDMG A-PPDU１４００の送信完了からPIFS時間以内にBA２０１２を受信しないので、EDMG A-PPDU１４００が宛先EDMG無線局装置２０００に正常に届かなかったと判断し、EDMG A-PPDU１４００の再送処理１６００を実行する。
【０１７２】
図６１は、実施の形態６によるEDMG A-PPDUを使った通信における送信元EDMG無線局装置１０００及び非宛先EDMG無線局装置３０００が送受信するフィールドおよび実行する処理の一例を示す図である。図６１の送信元EDMG無線局装置１０００は、EDMG A-PPDU１４００を図５８の宛先EDMG無線局装置２０００に送信し、BA２０１２を正常に受信し、図６１の非宛先EDMG無線局装置３０００は、EDMG A-PPDU１４００の宛先局装置ではないがEDMG A-PPDU１４００を受信できる環境に存在する。
【０１７３】
図６１の非宛先EDMG無線局装置３０００は、受信したEDMG A-PPDU１４００に対して図５８の宛先EDMG無線局装置２０００と同様の処理を行うが、デコード処理３０１１よりも後の処理が図５８の宛先EDMG無線局装置２０００と異なる。具体的には、図６１の非宛先EDMG無線局装置３０００は、デコード処理３００７、３００９、３０１１によって得られた一つ以上のMPDUにおいてFCSによりエラーを検出しない場合、EDMG A-PPDU１４００の宛先が自局装置ではないことを認識し、物理CCAがビジーからアイドルに変化した後、あるいは第３のEDMG PPDU１３００に対する仮想CCAがビジーからアイドルに変化した後、NAV３０１２を設定し、NAV３０１２の終了後、DIFS時間待機し、バックオフ処理３０１３を開始する。
【０１７４】
なお、非宛先EDMG無線局装置３０００がデコード処理３００７、３００９、３０１１によって得られた全てのMPDUにおいてFCSによりエラーを検出した場合（図６２参照）、あるいはデコード処理３００４においてHCSによりエラーを検出した場合（図６３参照）、非宛先EDMG無線局装置３０００は、物理CCAがビジーからアイドルに変化した後、EIFS時間待機し、バックオフ制御３０１３を開始する。
【０１７５】
図６４は、実施の形態６によるEDMG A-PPDUを使った通信における送信元EDMG無線局装置１０００及びEDMG A-PPDU非対応EDMG無線局装置４０００が送受信するフィールドおよび実行する処理の一例を示す図である。図６４の送信元EDMG無線局装置１０００は、EDMG A-PPDU１４００を図５８の宛先EDMG無線局装置２０００に送信し、BA２０１２を正常に受信し、図６４のEDMG A-PPDU非対応EDMG無線局装置４０００は、EDMG A-PPDU１４００の宛先局装置ではないがEDMG A-PPDU１４００を受信できる環境に存在する。
【０１７６】
EDMG A-PPDU非対応EDMG無線局装置４０００は、EDMG A-PPDUに対応していないためDATA１１０７までデコード処理を実行し、L-Header１２０３以降のフィールドのデコード処理を実行しない。EDMG A-PPDU非対応EDMG無線局装置４０００は、デコード処理４００７においてFCSによりエラーを検出しなかった場合、EDMG A-PPDU１４００の宛先がEDMG A-PPDU非対応EDMG無線局装置４０００ではないことを認識するので、物理CCAがビジーからアイドルに変化した後、NAV４００８を設定し、NAV４００８の終了後、DIFS時間待機し、バックオフ制御４００９を開始する。
【０１７７】
なお、EDMG A-PPDU非対応EDMG無線局装置４０００がデコード処理４００７によって得られる全てのMPDUでFCSによりエラーを検出した場合（図６５参照）、あるいはデコード処理４００４においてHCSによりエラーを検出した場合（図６６参照）、EDMG A-PPDU非対応EDMG無線局装置４０００は、物理CCAがビジーからアイドルに変化した後、EIFS時間待機し、バックオフ制御４００９を開始する。
【０１７８】
図６７は、実施の形態６によるEDMG A-PPDUを使った通信における送信元EDMG無線局装置１０００及びLegacy無線局装置５０００が送受信するフィールドおよび実行する処理の一例を示す図である。図６７の送信元EDMG無線局装置１０００は、EDMG A-PPDU１４００を図５８の宛先EDMG無線局装置２０００に送信し、BA２０１２を正常に受信し、Legacy無線局装置５０００は、EDMG A-PPDU１４００の宛先局装置ではないがEDMG A-PPDU１４００を受信できる環境にあるものとする。
【０１７９】
Legacy無線局装置５０００は、EDMG A-PPDUに対応していないので受信したEDMG A-PPDU１４００を一般的なLegacy A-PPDUとして処理する。すなわちLegacy無線局装置５０００は、同期処理５００１、チャネル推定（CE）５００２に続いてL-Header１１０３をデコード５００３する。デコード５００３においてHCSでエラーが検出されない場合、Legacy無線局装置５０００は、Additional PPDUフィールドが１に設定されていることから第1のEDMG PPDU１１００の直後に第２のEDMG PPDU１２００が続いていることが分かる。またLegacy無線局装置は、L-Header１１０３のLengthフィールドから第１のEDMG PPDU１１００の名目上のデータフィールドのオクテットサイズD５を知ることができる。
【０１８０】
そして、Legacy無線局装置５０００は、EDMG-Header-A１１０４からDAATA１１０７までのフィールドをサイズがD５オクテットのデータフィールドとしてデコード処理５００４を実行する。Legacy無線局装置５０００は、デコード処理５００４においてFCSによりエラーを検出する。
【０１８１】
また、EDMG-STF１１０５とEDMG-CEF１１０６とDATA１１０７とは、チャンネルボンディング技術やMIMO技術を使って送信されることがあるため、Legacy無線局装置５０００はデコード処理５００４の最中に同期が外れる可能性がある。
【０１８２】
Legacy無線局装置５０００は、デコード処理５００３の結果から第２のEDMG PPDU１２００の存在を認識するのでL-Header１２０３のデコード処理５００６を実行する。しかし前述のようにLegacy無線機５０００は、デコード処理５００４の最中に同期外れを起こすことがあるので、デコード処理５００６においてHCSによりエラーを検出する可能性が高い。
【０１８３】
デコード処理５００６においてHCSでエラーが検出された場合、Legacy無線局装置５０００は、EDMG-Header-A１２０１以降のフィールドに対してデコード処理を実行しない。Legacy無線局装置５０００は、物理CCAがビジーからアイドルに変化した後、EIFS時間待機し、バックオフ制御５００５を開始する。
【０１８４】
実施の形態６によれば、宛先EDMG無線局装置２０００は、EDMG A-PPDU１４００の受信完了後に、他の無線局装置による割り込みを抑制し、BA２０１２を送信することができ、Legacy無線局装置５０００は、消費電力を低減することができる。またEDMG無線局装置とLegacy無線局装置のバックオフ制御開始タイミングを揃えることができ、各無線局装置に送信機会を均等に与えることができる。
【０１８５】
（ＥＤＭＧ無線局の構成）
図６８は、本開示によるEDMG無線局装置の構成の一例を示す図である。本開示においてEDMG無線局装置１０００、EDMG無線局装置２０００、EDMG無線局装置３０００、EDMG無線局装置４０００は同一の構成である。図６８においてEDMG無線局装置１０００は、EDMG PPDU生成部１０００ａと送信デジタル処理部１０００ｂと送信ＲＦフロントエンド１０００ｃと受信ＲＦフロントエンド１０００ｄと受信デジタル信号処理部１０００ｅとブロックＡｃｋ生成部１０００ｆとコントローラ１０００ｇを備える。
【０１８６】
ＥＤＭＧ  ＰＰＤＵ生成部１０００ａは、ＥＤＭＧ  Ａ−ＰＰＤＵを構成する各ＥＤＭＧ  ＰＰＤＵを生成する。
【０１８７】
図６９に示すように、EDMG PPDU生成部１０００ａは、Ｌ−ＳＴＦ生成部１０００ａ１とＬ−ＣＥＦ生成部１０００ａ２とＬ−Ｈｅａｄｅｒ生成部１０００ａ３とＥＤＭＧ−Ｈｅａｄｅｒ−Ａ生成部１０００ａ４とＥＤＭＧ−ＳＴＦ生成部１０００ａ５とＥＤＭＧ−ＣＥＦ生成部１０００ａ６とＤａｔａ生成部１０００ａ７と連結部１０００ａ８を備える。
【０１８８】
Ｌ−ＳＴＦ生成部１０００ａ１は、Ｌｅｇａｃｙ無線局装置およびＥＤＭＧ無線局装置がパケット検出、同期処理、ＡＧＣ（Ａｕｔｏ  Ｇａｉｎ  Ｃｏｎｔｒｏｌ：自動利得制御）等を行うためのＬ−ＳＴＦを生成する。
【０１８９】
Ｌ−ＣＥＦ生成部１０００ａ２は、Ｌｅｇａｃｙ無線局装置およびＥＤＭＧ無線局装置がチャネル推定を行うためのＬ−ＣＥＦを生成する。
【０１９０】
Ｌ−Ｈｅａｄｅｒ生成部１０００ａ３は、Ｌｅｇａｃｙ無線局装置に対する名目上のデータオクテットサイズを計算し、計算結果をＬ−ＨｅａｄｅｒのＬｅｎｇｔｈフィールドに設定する。また、Ｌ−Ｈｅａｄｅｒ生成部１０００ａ３は、Ｌ-ＨｅａｄｅｒのＥＤＭＧ  Ｉｎｄｉｃａｔｉｏｎフィールドを１に設定する。また、Ｌ−Ｈｅａｄｅｒ生成部１０００ａ３は、後続するＥＤＭＧ  ＰＰＤＵの有無に応じてＬ−ＨｅａｄｅｒのＡｄｄｉｔｉｏｎａｌ  ＰＰＤＵフィールドの設定を行う。
【０１９１】
ＥＤＭＧ−Ｈｅａｄｅｒ−Ａ生成部１０００ａ４は、実際のデータフィールドのオクテットサイズをＥＤＭＧ−Ｈｅａｄｅｒ−ＡのＬｅｎｇｔｈフィールドに設定する。また、ＥＤＭＧ−Ｈｅａｄｅｒ−Ａ生成部１０００ａ４は、後続するＥＤＭＧ  ＰＰＤＵの有無に応じてＥＤＭＧ−Ｈｅａｄｅｒ−ＡフィールドのＡｄｄｉｔｉｏｎａｌ  ＰＰＤＵフィールドの設定を行う。
【０１９２】
ＥＤＭＧ−ＳＴＦ生成部１０００ａ５は、ＭＩＭＯ技術およびチャネルボンディング技術を用いてパケットを送信するときに、ＥＤＭＧ無線局装置が各ＭＩＭＯストリームやチャネルボンディングされた広帯域信号に対して再同期処理を行うためのＥＤＭＧ−ＳＴＦを生成する。
【０１９３】
ＥＤＭＧ−ＣＥＦ生成部１０００ａ６は、ＭＩＭＯ技術およびチャネルボンディング技術を用いてパケットを送信するときに、ＥＤＭＧ無線局装置が各ＭＩＭＯストリームやチャネルボンディングされた広帯域信号に対して再チャネル推定を行うためのＥＤＭＧ−ＣＥＦを生成する。
【０１９４】
Ｄａｔａ生成部１０００ａ７は、ペイロードデータを生成する。
【０１９５】
連結部１０００ａ８は、Ｌ−ＨｅａｄｅｒのＡｄｄｉｔｉｏｎａｌ  ＰＰＤＵフィールドおよびＥＤＭＧ−Ｈｅａｄｅｒ−ＡのＡｄｄｉｔｉｏｎａｌ  ＰＰＤＵフィールドの設定に基づいてＬ−ＳＴＦ、Ｌ−ＣＥＦ、Ｌ−Ｈｅａｄｅｒ、ＥＤＭＧ−Ｈｅａｄｅｒ−Ａ、ＥＤＭＧ−ＳＴＦ、ＥＤＭＧ−ＣＥＦ、ペイロードデータを連結しＥＤＭＧ  Ａ−ＰＰＤＵを形成する。
【０１９６】
送信デジタル信号処理部１０００ｂは、Ｌ−ＨｅａｅｄｒのＡｄｄｉｔｉｏｎａｌ  ＰＰＤＵフィールドまたはＥＤＭＧ−Ｈｅａｄｅｒ−ＡフィールドのＡｄｄｉｔｉｏｎａｌ  ＰＰＤＵフィールドの設定値に従って複数のＥＤＭＧ  ＰＰＤＵに対してアグリゲーション処理を行うブロックである。
【０１９７】
送信ＲＦフロントエンド１０００ｃは、入力信号をＲＦ信号へと周波数変換し送信アンテナから放射する。
【０１９８】
受信ＲＦフロントエンド１０００ｄは、他の無線局から送信された信号を受信アンテナにより受信し、受信したＲＦ信号をベースバンド信号へと周波数変換する。また、受信信号の電力を測定し測定値をコントローラ１０００ｇに送る。
【０１９９】
受信デジタル信号処理部１０００ｅは、受信信号に対して、同期処理、チャネル推定処理、ヘッダデコード処理、データデコード処理を行う。受信デジタル信号処理部１０００ｅは、Ｌ−Ｈｅａｄｅｒを正常に受信した場合、Ｌｅｎｇｔｈフィールドの設定値から無線チャネル上での名目上のデータフィールド長を算出し、コントローラ１０００ｇに出力する。
【０２００】
また、受信デジタル信号処理部１０００ｅは、Ｌ−ＨｅａｄｅｒのＨＣＳ検査結果、ＥＤＭＧ−Ｈｅａｄｅｒ−ＡのＨＣＳ検査結果、データフィールドを構成する複数のＭＰＤＵのＦＣＳ検査結果とデータフィールドに含まれるＭＡＣヘッダのＤｕｒａｔｉｏｎフィールド値と宛先アドレスフィールド値をコントローラ１０００ｇに出力する。また、受信デジタル信号処理部は、ＨＣＳ検査結果とＦＣＳ検査結果をブロックＡｃｋ生成部１０００ｆに出力する。
【０２０１】
ブロックＡｃｋ生成部１０００ｆは、ＨＣＳ検査結果、ＦＣＳ検査結果に基づいてブロックＡｃｋフレームを生成する。
【０２０２】
コントローラ１０００ｇは、EDMG無線局装置１０００の動作を制御する。コントローラ１０００ｇは、各種ＩＦＳ時間や名目上のデータフィールド長の時間をカウントする。EDMG無線局１０００が送信装置として動作する場合、コントローラ１０００ｇは、ブロックＡｃｋを正常に受信した場合、ブロックＡｃｋの内容に応じてEDMG無線局装置１０００にバックオフ処理あるいは再送処理を行わせ、ブロックＡｃｋを正常に受信しなかった場合、無線局装置１０００に再送処理を行わせる。
【０２０３】
また、コントローラ１０００ｇは、受信フレームが自局装置宛であった場合、受信号電力レベルに基づいて物理ＣＣＡを設定し、Ｌ−ＨｅａｄｅｒのＬｅｎｇｔｈフィールドに基づいて仮想ＣＣＡを設定し、EDMG無線局装置１０００にブロックＡｃｋの送信処理を行わせる。
【０２０４】
また、コントローラ１０００ｇは、受信フレームが自局装置宛ではなかった場合、ＮＡＶを設定し、ＮＡＶ期間では、無線局装置１０００の送信処理を停止し、または所定のＩＦＳ時間をカウントし、無線局装置１０００にバックオフ制御を行わせる。
【０２０５】
上記各実施形態では、本開示は、無線通信装置、例えば、スーマートフォン、セルラー、タブレット端末、パソコン、テレビを用いて、動画像（movie）、静止画像（picture）、音声（audio）、テキストデータ、制御データを送受信するのに好適である。
【０２０６】
（実施形態のまとめ）
本開示の第１の態様に係る通信装置は、レガシーＳＴＦと、レガシーＣＥＦと、レガシーヘッダフィールドと、非レガシーＳＴＦと非レガシーＣＥＦと、複数の非レガシーヘッダフィールドと、複数のデータフィールドとを含む集約物理層収束プロトコルデータユニット（Ａ−ＰＰＤＵ）に対して、名目上のデータフィールド長に基づいて算出された名目上のデータオクテットサイズを前記レガシーヘッダフィールドに設定し、前記レガシーヘッダフィールドに含まれるAdditional ＰＰＤＵフィールドを０に設定するＰＰＤＵ生成部と、前記名目上のデータフィールド長以下において前記Ａ−ＰＰＤＵを構成する信号処理部と、前記構成したＡ−ＰＰＤＵを送信する送信部と、を含み、前記名目上のデータフィールド長は、前記非レガシーＳＴＦと前記非レガシーＣＥＦと前記複数の非レガシーヘッダフィールドと前記複数のデータフィールドとの合計以上の時間である。
【０２０７】
本開示の第２の態様に係る通信装置は、レガシーＳＴＦと、レガシーＣＥＦと、レガシーヘッダフィールドと、非レガシーＳＴＦと非レガシーＣＥＦと、複数の非レガシーヘッダフィールドと、複数のデータフィールドとを含む集約物理層収束プロトコルデータユニット（Ａ−ＰＰＤＵ）に対して、名目上のデータフィールド長に基づいて算出された名目上のデータオクテットサイズが前記レガシーヘッダフィールドに設定され、前記レガシーヘッダフィールドに含まれるAdditional ＰＰＤＵフィールドが０に設定され、前記名目上のデータフィールド長以下において構成された前記Ａ−ＰＰＤＵを受信する受信部と、前記受信したＡ−ＰＰＤＵに対して、Ａｃｋフレームを送信する送信部と、を含み、前記名目上のデータフィールド長は、前記非レガシーＳＴＦと前記非レガシーＣＥＦと前記複数の非レガシーヘッダフィールドと前記複数のデータフィールドとの合計以上の時間である。
【０２０８】
本開示の第３の態様に係る通信方法は、レガシーＳＴＦと、レガシーＣＥＦと、レガシーヘッダフィールドと、非レガシーＳＴＦと非レガシーＣＥＦと、複数の非レガシーヘッダフィールドと、複数のデータフィールドとを含む集約物理層収束プロトコルデータユニット（Ａ−ＰＰＤＵ）に対して、名目上のデータフィールド長に基づいて算出された名目上のデータオクテットサイズを前記レガシーヘッダフィールドに設定し、前記レガシーヘッダフィールドに含まれるAdditional ＰＰＤＵフィールドを０に設定し、前記名目上のデータフィールド長以下において前記Ａ−ＰＰＤＵを構成し、前記構成したＡ−ＰＰＤＵを送信し、前記名目上のデータフィールド長は、前記非レガシーＳＴＦと前記非レガシーＣＥＦと前記複数の非レガシーヘッダフィールドと前記複数のデータフィールドとの合計以上の時間である。
【０２０９】
本開示の第４の態様に係る通信方法は、レガシーＳＴＦと、レガシーＣＥＦと、レガシーヘッダフィールドと、非レガシーＳＴＦと非レガシーＣＥＦと、複数の非レガシーヘッダフィールドと、複数のデータフィールドとを含む集約物理層収束プロトコルデータユニット（Ａ−ＰＰＤＵ）に対して、名目上のデータフィールド長に基づいて算出された名目上のデータオクテットサイズが前記レガシーヘッダフィールドに設定され、前記レガシーヘッダフィールドに含まれるAdditional ＰＰＤＵフィールドが０に設定され、前記名目上のデータフィールド長以下において構成された前記Ａ−ＰＰＤＵを受信し、前記受信したＡ−ＰＰＤＵに対して、Ａｃｋフレームを送信し、前記名目上のデータフィールド長は、前記非レガシーＳＴＦと前記非レガシーＣＥＦと前記複数の非レガシーヘッダフィールドと前記複数のデータフィールドとの合計以上の時間である。
【０２１０】
以上、図面を参照しながら各種の実施形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施形態における各構成要素を任意に組み合わせてもよい。
【０２１１】
上記各実施形態では、本開示はハードウェアを用いて構成する例にとって説明したが、本開示はハードウェアとの連携においてソフトウェアでも実現することも可能である。
【０２１２】
また、上記各実施形態の説明に用いた各機能ブロックは、典型的には、入力端子および出力端子を有する集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２１３】
また、集積回路化の手法はＬＳＩに限るものではなく、専用回路または汎用プロセッサを用いて実現してもよい。ＬＳＩ製造後に、プログラムすることが可能なＦＰＧＡ（Field Programmable Gate Array）、ＬＳＩ内部の回路セルの接続又は設定を再構成可能なリコンフィギュラブル  プロセッサ（Reconfigurable Processor）を利用してもよい。
【０２１４】
さらには、半導体技術の進歩又は派生する別技術により、ＬＳＩに置き換わる集積回路化の技術が登場すれば、当然、その技術を用いて機能ブロックを集積化してもよい。バイオ技術の適用等が可能性としてありえる。
【産業上の利用可能性】
【０２１５】
本開示は、無線通信システムにおいて、集約ＰＰＤＵ（物理層収束プロトコルデータユニット）を構成し送信する方法に適用することができる。
【符号の説明】
【０２１６】
１０００  ＥＤＭＧ無線局
１０００ａ  ＥＤＭＧ  ＰＰＤＵ生成部
１０００ａ１  Ｌ−ＳＴＦ生成部
１０００ａ２  Ｌ−ＣＥＦ生成部
１０００ａ３  Ｌ−Ｈｅａｄｅｒ生成部
１０００ａ４  ＥＤＭＧ−Ｈｅａｄｅｒ−Ａ生成部
１０００ａ５  ＥＤＭＧ−ＳＴＦ生成部
１０００ａ６  ＥＤＭＧ−ＣＥＦ生成部
１０００ａ７  Ｄａｔａ生成部
１０００ａ８  連結部
１０００ｂ  送信デジタル信号処理部
１０００ｃ  送信ＲＦフロントエンド
１０００ｄ  受信ＲＦフロントエンド
１０００ｅ  受信デジタル信号処理部
１０００ｆ  ブロックAck生成部
１０００ｇ  コントローラ
【図１】
2018074119.tif 000003
【図２】
2018074119.tif 000004
【図３】
2018074119.tif 000005
【図４】
2018074119.tif 000006
【図５】
2018074119.tif 000007
【図６】
2018074119.tif 000008
【図７】
2018074119.tif 000009
【図８】
2018074119.tif 000010
【図９】
2018074119.tif 000011
【図１０】
2018074119.tif 000012
【図１１】
2018074119.tif 000013
【図１２】
2018074119.tif 000014
【図１３】
2018074119.tif 000015
【図１４】
2018074119.tif 000016
【図１５】
2018074119.tif 000017
【図１６】
2018074119.tif 000018
【図１７】
2018074119.tif 000019
【図１８】
2018074119.tif 000020
【図１９】
2018074119.tif 000021
【図２０】
2018074119.tif 000022
【図２１】
2018074119.tif 000023
【図２２】
2018074119.tif 000024
【図２３】
2018074119.tif 000025
【図２４】
2018074119.tif 000026
【図２５】
2018074119.tif 000027
【図２６】
2018074119.tif 000028
【図２７】
2018074119.tif 000029
【図２８】
2018074119.tif 000030
【図２９】
2018074119.tif 000031
【図３０】
2018074119.tif 000032
【図３１】
2018074119.tif 000033
【図３２】
2018074119.tif 000034
【図３３】
2018074119.tif 000035
【図３４】
2018074119.tif 000036
【図３５】
2018074119.tif 000037
【図３６】
2018074119.tif 000038
【図３７】
2018074119.tif 000039
【図３８】
2018074119.tif 000040
【図３９】
2018074119.tif 000041
【図４０】
2018074119.tif 000042
【図４１】
2018074119.tif 000043
【図４２】
2018074119.tif 000044
【図４３】
2018074119.tif 000045
【図４４】
2018074119.tif 000046
【図４５】
2018074119.tif 000047
【図４６】
2018074119.tif 000048
【図４７】
2018074119.tif 000049
【図４８】
2018074119.tif 000050
【図４９】
2018074119.tif 000051
【図５０】
2018074119.tif 000052
【図５１】
2018074119.tif 000053
【図５２】
2018074119.tif 000054
【図５３】
2018074119.tif 000055
【図５４】
2018074119.tif 000056
【図５５】
2018074119.tif 000057
【図５６】
2018074119.tif 000058
【図５７】
2018074119.tif 000059
【図５８】
2018074119.tif 000060
【図５９】
2018074119.tif 000061
【図６０】
2018074119.tif 000062
【図６１】
2018074119.tif 000063
【図６２】
2018074119.tif 000064
【図６３】
2018074119.tif 000065
【図６４】
2018074119.tif 000066
【図６５】
2018074119.tif 000067
【図６６】
2018074119.tif 000068
【図６７】
2018074119.tif 000069
【図６８】
2018074119.tif 000070
【図６９】
2018074119.tif 000071
【国際調査報告】
2018074119.tif 000072
2018074119.tif 000073